(57)【特許請求の範囲】
【請求項１】
グラントフリー伝送のためのハンドオーバ方法であって、
第1のネットワーク装置によって、第2のネットワーク装置にハンドオーバ要求メッセージを送信するステップであって、前記ハンドオーバ要求メッセージは、グラントフリー伝送を行うために、端末装置を前記第1のネットワーク装置から前記第2のネットワーク装置にハンドオーバするように要求するために使用される、ステップと、
前記第1のネットワーク装置によって、前記第2のネットワーク装置が送信したハンドオーバ要求確認メッセージを受信するステップであって、前記ハンドオーバ要求確認メッセージは、グラントフリー伝送を行うために、前記端末装置を前記第1のネットワーク装置から前記第2のネットワーク装置へハンドオーバすることを確認するために使用される、ステップと、
前記第1のネットワーク装置によって、前記端末装置にハンドオーバ指示メッセージを送信するステップであって、前記ハンドオーバ指示メッセージは、グラントフリー伝送モードでコンテンション方式送信ユニットCTUリソース上で前記第2のネットワーク装置に信号を送信するように前記端末装置に指示するために使用される、ステップと、
を含み、
前記ハンドオーバ要求確認メッセージは、前記第2のネットワーク装置が前記端末装置に使用を許可する第2のCTUリソースに関する情報を含み、
前記ハンドオーバ要求メッセージは、ハンドオーバ前に、グラントフリー伝送のために前記端末装置によって使用される第1のCTUリソースに関する情報を含み、
前記第2のネットワーク装置が、前記端末装置に前記第1のCTUリソースを使用してグラントフリー伝送を行うことを許可する場合、前記第2のCTUリソースは、前記第1のCTUリソースと同じである、または
前記第2のネットワーク装置が、前記端末装置に前記第1のCTUリソースを使用してグラントフリー伝送を行うことを許可しない場合、前記第2のCTUリソースは、前記第1のCTUリソースと異なる、グラントフリー伝送のためのハンドオーバ方法。
【請求項２】
前記ハンドオーバ指示メッセージは、前記端末装置が、前記グラントフリー伝送モードで前記信号を送信するための前記第2のCTUリソースに関する前記情報を含む、請求項1に記載のハンドオーバ方法。
【請求項３】
前記ハンドオーバ要求メッセージは、前記端末装置がグラントフリー伝送をサポートしていることを示すために使用される情報を含み、前記ハンドオーバ要求確認メッセージは、前記第2のネットワーク装置が前記端末装置に使用を許可する前記第2のCTUリソースに関する前記情報を含み、前記ハンドオーバ指示メッセージは、前記第2のネットワーク装置が前記端末装置に使用を許可する前記第2のCTUリソースに関する前記情報を含む、請求項1または2に記載のハンドオーバ方法。
【請求項４】
前記CTUリソースに関する前記情報は、時間−周波数リソース、コードリソース、もしくはパイロットのうちの少なくとも1つに関する情報、CTU情報、またはコンテンション方式アクセス領域に関する情報を含む、請求項1から3のいずれか一項に記載のハンドオーバ方法。
【請求項５】
前記第1のネットワーク装置によって、第2のネットワーク装置にハンドオーバ要求メッセージを送信する、前記ステップの前に、
前記第1のネットワーク装置によって、前記端末装置の測定報告情報または前記第1のネットワーク装置の負荷情報のうちの少なくとも1つに従って、前記端末装置を前記第2のネットワーク装置にハンドオーバする必要があると判定するステップ
をさらに含む、請求項1から4のいずれか一項に記載のハンドオーバ方法。
【請求項６】
グラントフリー伝送のためのハンドオーバ方法であって、
第2のネットワーク装置によって、第1のネットワーク装置が送信したハンドオーバ要求メッセージを受信するステップであって、前記ハンドオーバ要求メッセージは、グラントフリー伝送を行うために、端末装置を前記第1のネットワーク装置から前記第2のネットワーク装置にハンドオーバするように要求するために使用される、ステップと、
前記第2のネットワーク装置によって、グラントフリー伝送を行うために、前記第1のネットワーク装置から前記第2のネットワーク装置に前記端末装置をハンドオーバすることを判定するステップと、
前記第2のネットワーク装置によって、前記第1のネットワーク装置にハンドオーバ要求確認メッセージを送信するステップであって、前記ハンドオーバ要求確認メッセージは、グラントフリー伝送を行うために、前記端末装置を前記第1のネットワーク装置から前記第2のネットワーク装置へハンドオーバすることを確認するために使用される、ステップと、
前記第2のネットワーク装置によって、グラントフリー伝送モードでコンテンション方式送信ユニットCTUリソース上で前記端末装置が送信した信号に対するブラインド検出を行うステップと、
を含み、
前記ハンドオーバ要求確認メッセージは、コンテンション方式アクセス領域または前記第2のネットワーク装置が前記端末装置に使用を許可する第2のCTUリソースに関する情報を含み、
前記ハンドオーバ要求メッセージは、ハンドオーバ前に、グラントフリー伝送のために前記端末装置によって使用される第1のCTUリソースに関する情報を含み、
前記第2のネットワーク装置が、前記端末装置に前記第1のCTUリソースを使用してグラントフリー伝送を行うことを許可する場合、前記第2のCTUリソースは、前記第1のCTUリソースと同じである、または
前記第2のネットワーク装置が、前記端末装置に前記第1のCTUリソースを使用してグラントフリー伝送を行うことを許可しない場合、前記第2のCTUリソースは、前記第1のCTUリソースと異なる、
む、グラントフリー伝送のためのハンドオーバ方法。
【請求項７】
前記第2のCTUリソースに関する情報は、前記端末装置が、前記コンテンション方式アクセス領域または前記第2のCTUリソースに関する前記情報に従って、前記グラントフリー伝送モードで前記信号を送信するために使用される、請求項6に記載のハンドオーバ方法。
【請求項８】
前記第2のネットワーク装置によって、グラントフリー伝送モードでCTUリソース上で、前記端末装置が送信した信号のブラインド検出を行う、前記ステップは、
前記第2のネットワーク装置によって、前記第2のCTUリソースに基づいて、前記グラントフリー伝送モードで前記第2のCTUリソース上で、前記端末装置が送信した前記信号のブラインド検出を行うステップ
を含む、請求項6に記載のハンドオーバ方法。
【請求項９】
前記第2のネットワーク装置によって、グラントフリー伝送を行うために、前記第1のネットワーク装置から前記第2のネットワーク装置に前記端末装置をハンドオーバすることを判定する、前記ステップは、
前記第2のネットワーク装置によって、前記第2のネットワーク装置のコンテンション方式アクセス領域の負荷状況、前記第2のネットワーク装置の負荷状況、または前記第1のCTUリソースのうちの少なくとも1つに従って、前記第2のネットワーク装置に前記端末装置をハンドオーバするように判定するステップ
を含む、請求項6から8のいずれか一項に記載のハンドオーバ方法。
【請求項１０】
前記ハンドオーバ要求メッセージは、前記端末装置がグラントフリー伝送をサポートしていることを示すために使用される情報を含み、前記ハンドオーバ要求確認メッセージは、前記第2のネットワーク装置が前記端末装置に使用を許可する前記第2のCTUリソースに関する前記情報を含む、請求項6または7に記載のハンドオーバ方法。
【請求項１１】
前記第2のネットワーク装置によって、グラントフリー伝送を行うために、前記第1のネットワーク装置から前記第2のネットワーク装置に前記端末装置をハンドオーバすることを判定する、前記ステップは、
前記第2のネットワーク装置のコンテンション方式アクセス領域の負荷状況または前記第2のネットワーク装置の負荷状況うちの少なくとも1つに従って、前記第2のネットワーク装置に前記端末装置をハンドオーバするように判定するステップ
を含む、請求項10に記載のハンドオーバ方法。
【請求項１２】
前記CTUリソースに関する前記情報は、時間−周波数リソース、コードリソース、もしくはパイロットのうちの少なくとも1つに関する情報、CTU情報、または前記コンテンション方式アクセス領域に関する前記情報を含む、請求項6から10のいずれか一項に記載のハンドオーバ方法。
【請求項１３】
グラントフリー伝送のためのハンドオーバ方法であって、
端末装置によって、第1のネットワーク装置が送信したハンドオーバ指示メッセージを受信するステップであって、前記ハンドオーバ指示メッセージは、グラントフリー伝送を行うために、前記端末装置を前記第1のネットワーク装置から第2のネットワーク装置にハンドオーバするように指示するために使用される、ステップと、
前記端末装置によって、前記ハンドオーバ指示メッセージに従って、グラントフリー伝送モードでコンテンション方式送信ユニットCTUリソース上で前記第2のネットワーク装置に信号を送信するステップと、
を含み、
前記端末装置は、ハンドオーバ前に第1のCTUリソースを用いてグラントフリー伝送を行い、
前記ハンドオーバ指示メッセージは、前記第2のネットワーク装置が前記端末装置に使用を許可する第2のCTUリソースに関する情報を含み、
前記第2のネットワーク装置が、前記端末装置に前記第1のCTUリソースを使用してグラントフリー伝送を行うことを許可する場合、前記第2のCTUリソースは、前記第1のCTUリソースと同じである、または
前記第2のネットワーク装置が、前記端末装置に前記第1のCTUリソースを使用してグラントフリー伝送を行うことを許可しない場合、前記第2のCTUリソースは、前記第1のCTUリソースと異なる、グラントフリー伝送のためのハンドオーバ方法。
【請求項１４】
前記第2のCTUリソースに関する情報は、前記端末装置が、前記グラントフリー伝送モードで前記第2のコンテンション方式送信ユニットCTUリソース上で前記信号を送信するために使用される、請求項13に記載のハンドオーバ方法。
【請求項１５】
前記端末装置によって、前記ハンドオーバ指示メッセージに従って、グラントフリー伝送モードでCTUリソース上で前記第2のネットワーク装置に信号を送信する、前記ステップは、
前記端末装置によって、前記ハンドオーバ指示メッセージで運ばれる前記第2のCTUリソースに関する前記情報に従って、前記端末装置を前記第2のネットワーク装置にハンドオーバした後に行われるグラントフリー伝送で使用されるCTUを判定するステップと、
前記端末装置によって、前記グラントフリー伝送モードで前記CTU上で前記信号を送信するステップと、
を含む、請求項13または14に記載のハンドオーバ方法。
【請求項１６】
前記第2のCTUリソースはコンテンション方式アクセス領域であり、前記端末装置によって、前記ハンドオーバ指示メッセージで運ばれる前記第2のCTUリソースに関する前記情報に従って、前記端末装置を前記第2のネットワーク装置にハンドオーバした後に行われるグラントフリー伝送で使用されるCTUを判定する、前記ステップは、
前記端末装置によって、前記ハンドオーバ指示メッセージで運ばれる前記コンテンション方式アクセス領域に関する前記情報に従って、前記コンテンション方式アクセス領域内のCTUの数を判定するステップと、
前記端末装置によって、次の式、すなわち、
IndxCTU＝Sigi mod NCTU
に従って前記CTUを判定するステップであって、IndxCTUは前記CTUのインデックス番号であり、modはモジュロ演算を表し、NCTUは前記コンテンション方式アクセス領域内の前記CTUの前記数を表し、Sigiは前記端末装置のコードリソースのインデックスを表す、ス
テップと、
を含む、請求項15に記載のハンドオーバ方法。
【請求項１７】
前記CTUリソースに関する前記情報は、時間−周波数リソース、コードリソース、もしくはパイロットのうちの少なくとも1つに関する情報、CTU情報、またはコンテンション方式アクセス領域に関する情報を含む、請求項13から15のいずれか一項に記載のハンドオーバ方法。
【請求項１８】
ネットワーク装置であって、
第2のネットワーク装置にハンドオーバ要求メッセージを送信するように構成された送信モジュールであって、前記ハンドオーバ要求メッセージは、グラントフリー伝送を行うために、端末装置を前記ネットワーク装置から前記第2のネットワーク装置にハンドオーバするように要求するために使用される、送信モジュールと、
前記第2のネットワーク装置が送信したハンドオーバ要求確認メッセージを受信するように構成された受信モジュールであって、前記ハンドオーバ要求確認メッセージは、グラントフリー伝送を行うために、前記端末装置を前記ネットワーク装置から前記第2のネットワーク装置へハンドオーバすることを確認するために使用される、受信モジュールであって、前記送信モジュールは、前記端末装置にハンドオーバ指示メッセージを送信するようにさらに構成され、前記ハンドオーバ指示メッセージは、グラントフリー伝送モードでコンテンション方式送信ユニットCTUリソース上で前記第2のネットワーク装置に信号を送信するように前記端末装置に指示するために使用される、受信モジュールと、
を備え、
前記ハンドオーバ要求確認メッセージは、前記第2のネットワーク装置が前記端末装置に使用を許可する第2のCTUリソースに関する情報を含み、
前記ハンドオーバ要求メッセージは、ハンドオーバ前に、グラントフリー伝送のために前記端末装置によって使用される第1のCTUリソースに関する情報を含み、
前記第2のネットワーク装置が、前記端末装置に前記第1のCTUリソースを使用してグラントフリー伝送を行うことを許可する場合、前記第2のCTUリソースは、前記第1のCTUリソースと同じである、または
前記第2のネットワーク装置が、前記端末装置に前記第1のCTUリソースを使用してグラントフリー伝送を行うことを許可しない場合、前記第2のCTUリソースは、前記第1のCTUリソースと異なる、ネットワーク装置。
【請求項１９】
前記ハンドオーバ指示メッセージは、前記端末装置が、前記グラントフリー伝送モードで前記信号を送信するための前記第2のCTUリソースに関する前記情報を含む、請求項18に記載のネットワーク装置。
【請求項２０】
前記ハンドオーバ要求メッセージは、前記端末装置がグラントフリー伝送をサポートしていることを示すために使用される情報を含み、前記ハンドオーバ要求確認メッセージは、前記第2のネットワーク装置が前記端末装置に使用を許可する前記第2のCTUリソースに関する前記情報を含み、前記ハンドオーバ指示メッセージは、前記第2のネットワーク装置が前記端末装置に使用を許可する前記第2のCTUリソースに関する前記情報を含む、請求項18または19に記載のネットワーク装置。
【請求項２１】
前記CTUリソースに関する前記情報は、時間−周波数リソース、コードリソース、もしくはパイロットのうちの少なくとも1つに関する情報、CTU情報、またはコンテンション方式アクセス領域に関する情報を含む、請求項18から20のいずれか一項に記載のネットワーク装置。
【請求項２２】
前記ネットワーク装置が前記第2のネットワーク装置に前記ハンドオーバ要求メッセージを送信する前に、前記端末装置の測定報告情報または前記ネットワーク装置の負荷情報のうちの少なくとも1つに従って、前記端末装置を前記第2のネットワーク装置にハンドオーバする必要があると判定するように構成された判定モジュール
をさらに備える、請求項18から21のいずれか一項に記載のネットワーク装置。
【請求項２３】
ネットワーク装置であって、
第1のネットワーク装置が送信したハンドオーバ要求メッセージを受信するように構成された受信モジュールであって、前記ハンドオーバ要求メッセージは、グラントフリー伝送を行うために、端末装置を前記第1のネットワーク装置から前記ネットワーク装置にハンドオーバするように要求するために使用される、受信モジュールと、
グラントフリー伝送を行うために、前記第1のネットワーク装置から前記ネットワーク装置に前記端末装置をハンドオーバすることを判定するように構成された判定モジュールと、
前記第1のネットワーク装置にハンドオーバ要求確認メッセージを送信するように構成された送信モジュールであって、前記ハンドオーバ要求確認メッセージは、グラントフリー伝送を行うために、前記端末装置を前記第1のネットワーク装置から前記ネットワーク装置へハンドオーバすることを確認するために使用される、送信モジュールと、
グラントフリー伝送モードでコンテンション方式送信ユニットCTUリソース上で前記端末装置が送信した信号に対するブラインド検出を行うように構成された検出モジュールと、
を備え、
前記ハンドオーバ要求確認メッセージは、コンテンション方式アクセス領域または前記ネットワーク装置が前記端末装置に使用を許可する第2のCTUリソースに関する情報を含み、
前記ハンドオーバ要求メッセージは、ハンドオーバ前に、グラントフリー伝送のために前記端末装置によって使用される第1のCTUリソースに関する情報を含み、
前記ネットワーク装置が、前記端末装置に前記第1のCTUリソースを使用してグラントフリー伝送を行うことを許可する場合、前記第2のCTUリソースは、前記第1のCTUリソースと同じである、または前記ネットワーク装置が、前記端末装置に前記第1のCTUリソースを使用してグラントフリー伝送を行うことを許可しない場合、前記第2のCTUリソースは、前記第1のCTUリソースと異なる、ネットワーク装置。
【請求項２４】
前記第2のCTUリソースに関する情報は、前記端末装置が、前記コンテンション方式アクセス領域または前記第2のCTUリソースに関する前記情報に従って、前記グラントフリー伝送モードで前記信号を送信するために使用される、請求項23に記載のネットワーク装置。
【請求項２５】
前記検出モジュールは、前記第2のCTUリソースに基づいて、前記グラントフリー伝送モードで前記第2のCTUリソース上で、前記端末装置が送信した前記信号のブラインド検出を行う、請求項23に記載のネットワーク装置。
【請求項２６】
前記判定モジュールは、前記ネットワーク装置のコンテンション方式アクセス領域の負荷状況、前記ネットワーク装置の負荷状況、または前記第1のCTUリソースのうちの少なくとも1つに従って、前記ネットワーク装置に前記端末装置をハンドオーバするように判定する、請求項23から25のいずれか一項に記載のネットワーク装置。
【請求項２７】
前記ハンドオーバ要求メッセージは、前記端末装置がグラントフリー伝送をサポートしていることを示すために使用される情報を含み、前記ハンドオーバ要求確認メッセージは、前記ネットワーク装置が前記端末装置に使用を許可する前記第2のCTUリソースに関する前記情報を含む、請求項23または24に記載のネットワーク装置。
【請求項２８】
前記判定モジュールは、前記ネットワーク装置のコンテンション方式アクセス領域の負荷状況または前記ネットワーク装置の負荷状況のうちの少なくとも1つに従って、前記ネットワーク装置に前記端末装置をハンドオーバするように判定する、請求項27に記載のネットワーク装置。
【請求項２９】
前記CTUリソースに関する前記情報は、時間−周波数リソース、コードリソース、もしくはパイロットのうちの少なくとも1つに関する情報、CTU情報、または前記コンテンション方式アクセス領域に関する前記情報を含む、請求項23から27のいずれか一項に記載のネットワーク装置。
【請求項３０】
端末装置であって、
第1のネットワーク装置が送信したハンドオーバ指示メッセージを受信するように構成された受信モジュールであって、前記ハンドオーバ指示メッセージは、グラントフリー伝送を行うために、前記端末装置を前記第1のネットワーク装置から第2のネットワーク装置にハンドオーバするように指示するために使用される、受信モジュールと、
前記ハンドオーバ指示メッセージに従って、グラントフリー伝送モードでコンテンション方式送信ユニットCTUリソース上で前記第2のネットワーク装置に信号を送信するように構成された送信モジュールと、
を備え、
前記端末装置は、ハンドオーバ前に第1のCTUリソースを用いてグラントフリー伝送を行い、
前記ハンドオーバ指示メッセージは、前記第2のネットワーク装置が前記端末装置に使用を許可する第2のCTUリソースに関する情報を含み、
前記第2のネットワーク装置が、前記端末装置に前記第1のCTUリソースを使用してグラントフリー伝送を行うことを許可する場合、前記第2のCTUリソースは、前記第1のCTUリソースと同じである、または
前記第2のネットワーク装置が、前記端末装置に前記第1のCTUリソースを使用してグラントフリー伝送を行うことを許可しない場合、前記第2のCTUリソースは、前記第1のCTUリソースと異なる、端末装置。
【請求項３１】
前記第2のCTUリソースに関する情報は、前記端末装置が、前記グラントフリー伝送モードで前記第2のコンテンション方式送信ユニットCTUリソース上で前記信号を送信するために使用される、請求項30に記載の端末装置。
【請求項３２】
前記ハンドオーバ指示メッセージで運ばれる前記第2のCTUリソースに関する前記情報に従って、前記端末装置を前記第2のネットワーク装置にハンドオーバした後に行われるグラントフリー伝送で使用されるCTUを判定するように構成された判定モジュールをさらに備え、前記送信モジュールは、前記グラントフリー伝送モードで前記CTU上で前記信号を送信する、請求項30または31に記載の端末装置。
【請求項３３】
前記第2のCTUリソースはコンテンション方式アクセス領域であり、前記判定モジュールは、前記ハンドオーバ指示メッセージで運ばれる前記コンテンション方式アクセス領域に関する前記情報に従って、前記コンテンション方式アクセス領域内のCTUの数を判定し、
前記判定モジュールは、次の式、すなわち、
IndxCTU＝Sigi mod NCTU
に従って前記CTUを判定し、IndxCTUは前記CTUのインデックス番号であり、modはモジュロ演算を表し、NCTUは前記コンテンション方式アクセス領域内の前記CTUの前記数を表し、Sigiは前記端末装置のコードリソースのインデックスを表す、請求項32に記載の端末装置。
【請求項３４】
前記CTUリソースに関する前記情報は、時間−周波数リソース、コードリソース、もしくはパイロットのうちの少なくとも1つに関する情報、CTU情報、またはコンテンション方式アクセス領域に関する情報を含む、請求項30から32のいずれか一項に記載の端末装置。
【請求項３５】
コンピュータ可読記憶媒体であって、前記媒体は、コンピュータデバイスに請求項１から５のいずれか一項に記載の方法を実行するように命令するための命令を備える、コンピュータ可読記憶媒体。
【請求項３６】
コンピュータ可読記憶媒体であって、前記媒体は、コンピュータデバイスに請求項６から１２のいずれか一項に記載の方法を実行するように命令するための命令を備える、コンピュータ可読記憶媒体。
【請求項３７】
コンピュータ可読記憶媒体であって、前記媒体は、コンピュータデバイスに請求項１３から１７のいずれか一項に記載の方法を実行するように命令するための命令を備える、コンピュータ可読記憶媒体。
【発明の詳細な説明】
【技術分野】
【０００１】
本発明の実施形態は、通信技術の分野に関し、特に、グラントフリー伝送のためのハンドオーバ方法、端末装置、およびネットワーク装置に関する。
【背景技術】
【０００２】
既存のロングタームエボリューション（Long Term Evolution、LTE）システムでは、端末装置が上りリンクデータを送信する必要がある場合、端末装置は、上りリンクスケジューリング要求（Scheduling Request、SR）メカニズムを使用する。つまり、端末装置は、基地局に上りリンクスケジューリング要求を送信し、端末装置がデータ送信に上りリンクリソースを必要としていることを基地局に通知する。基地局は、端末装置からスケジューリング要求を受信した後、特定のリソースを端末装置に割り当てる。端末装置は、割り当てられたリソース上でデータを送信する。
【０００３】
モノのインターネットの発展により、マシンタイプコミュニケーション（Machine Type Communication、MTC）サービスの量が増加している。一般に、MTCサービスの場合、データパケットは比較的小さく、比較的低遅延での伝送が要求される。大量のMTCサービスが存在する場合、前述のスケジューリング要求メカニズムは、高シグナリングオーバーヘッドを引き起こすだけでなく、伝送遅延を招く。
【０００４】
前述の問題を解決するために、上りリンクグラントフリー（Grant Free）伝送方式の技術的解決策が提案されている。Grant Freeとは、地上波公共移動通信ネットワーク（Public Land Mobile Network、PLMN）において、端末装置が、スケジューリング要求を使用して、基地局にデータ送信用のリソースを割り当てるように要求する必要がないことを意味する。Grant Freeユーザは、送信データの送信遅延や信頼性要件などの様々な特性に従って、コンテンション方式送信ユニット（Contention Transmission Unit、CTU）上でパケットを直接送信することができる。
【０００５】
しかしながら、一部のシナリオ、例えば、端末装置によって現在アクセスされている基地局（移動元基地局）が、過度の高負荷であったり、チャネル品質が比較的劣悪であったりする場合、または端末装置がある基地局のカバレッジエリアへ別の基地局のカバレッジエリアから入った場合、端末装置は、グラントフリー伝送を行うために、移動元基地局から別の基地局（移動先基地局）にハンドオーバされる必要がある。
【０００６】
従って、グラントフリー伝送を行うために、基地局から別の基地局に端末装置をどのようにハンドオーバするかは、緊急に解決する必要がある課題である。
【発明の概要】
【０００７】
本発明の実施形態は、グラントフリー伝送のためのハンドオーバ方法、端末装置、およびネットワーク装置を提供し、その結果、ネットワーク装置から別のネットワーク装置に端末装置をハンドオーバさせて、グラントフリー伝送を行うことができる。
【課題を解決するための手段】
【０００８】
第1の実施態様によれば、グラントフリー伝送のためのハンドオーバ方法が提供され、第1のネットワーク装置によって、第2のネットワーク装置にハンドオーバ要求メッセージを送信するステップであって、ハンドオーバ要求メッセージは、グラントフリー伝送を行うために、端末装置を第1のネットワーク装置から第2のネットワーク装置にハンドオーバするように要求するために使用される、ステップと、第1のネットワーク装置によって、第2のネットワーク装置が送信したハンドオーバ要求確認メッセージを受信するステップであって、ハンドオーバ要求確認メッセージは、グラントフリー伝送を行うために、端末装置を第1のネットワーク装置から第2のネットワーク装置へハンドオーバすることを確認するために使用される、ステップと、第1のネットワーク装置によって、端末装置にハンドオーバ指示メッセージを送信するステップであって、ハンドオーバ指示メッセージは、グラントフリー伝送モードでコンテンション方式送信ユニットCTUリソース上で第2のネットワーク装置に信号を送信するように端末装置に指示するために使用される、ステップと、を含む。
【０００９】
第1の可能な実装では、ハンドオーバ要求確認メッセージは、第2のネットワーク装置が端末装置に使用を許可する第2のCTUリソースに関する情報を含み、ハンドオーバ指示メッセージは、第2のCTUリソースに関する情報を含み、その結果、端末装置は、グラントフリー伝送モードで第2のCTUリソース上で信号を送信する。
【００１０】
第1の可能な実装に関連して、第2の可能な実装では、ハンドオーバ要求メッセージは、ハンドオーバ前に、グラントフリー伝送のために端末装置によって使用される第1のCTUリソースに関する情報を含む。
【００１１】
第2の可能な実装に関連して、第3の可能な実装では、第2のネットワーク装置が、端末装置に第1のCTUリソースを使用してグラントフリー伝送を行うことを許可する場合、第2のCTUリソースは、第1のCTUリソースと同じである、または第2のネットワーク装置が、端末装置に第1のCTUリソースを使用してグラントフリー伝送を行うことを許可しない場合、第2のCTUリソースは、第1のCTUリソースと異なる。
【００１２】
第1の可能な実装に関連して、第4の可能な実装では、ハンドオーバ要求メッセージは、端末装置がグラントフリー伝送をサポートしていることを示すために使用される情報を含み、ハンドオーバ要求確認メッセージは、第2のネットワーク装置が端末装置に使用を許可する第2のCTUリソースに関する情報を含み、ハンドオーバ指示メッセージは、第2のネットワーク装置が端末装置に使用を許可する第2のCTUリソースに関する情報を含み、その結果、端末装置は、グラントフリー伝送モードで第2のCTUリソース上で信号を送信する。
【００１３】
前述の可能な実装のいずれか1つに関連して、第5の可能な実装では、CTUリソースに関する情報は、時間−周波数リソース、コードリソース、もしくはパイロットのうちの少なくとも1つに関する情報、CTU情報、またはコンテンション方式アクセス領域に関する情報を含む。
【００１４】
第1の実施態様または前述の可能な実装のいずれか1つに関連して、第6の可能な実装では、第1のネットワーク装置によって、第2のネットワーク装置にハンドオーバ要求メッセージを送信するステップの前に、本方法は、第1のネットワーク装置によって、端末装置の測定報告情報または第1のネットワーク装置の負荷情報のうちの少なくとも1つに従って、端末装置を第2のネットワーク装置にハンドオーバする必要があると判定するステップをさらに含む。
【００１５】
第2の実施態様によれば、グラントフリー伝送のためのハンドオーバ方法が提供され、第2のネットワーク装置によって、第1のネットワーク装置が送信したハンドオーバ要求メッセージを受信するステップであって、ハンドオーバ要求メッセージは、グラントフリー伝送を行うために、端末装置を第1のネットワーク装置から第2のネットワーク装置にハンドオーバするように要求するために使用される、ステップと、第2のネットワーク装置によって、グラントフリー伝送を行うために、第1のネットワーク装置から第2のネットワーク装置に端末装置をハンドオーバすることを判定するステップと、第2のネットワーク装置によって、第1のネットワーク装置にハンドオーバ要求確認メッセージを送信するステップであって、ハンドオーバ要求確認メッセージは、グラントフリー伝送を行うために、端末装置を第1のネットワーク装置から第2のネットワーク装置へハンドオーバすることを確認するために使用される、ステップと、第2のネットワーク装置によって、グラントフリー伝送モードでCTUリソース上で端末装置が送信した信号に対するブラインド検出を行うステップと、を含む。
【００１６】
第1の可能な実装では、ハンドオーバ要求確認メッセージは、コンテンション方式アクセス領域または第2のネットワーク装置が端末装置に使用を許可する第2のCTUリソースに関する情報を含み、その結果、端末装置は、コンテンション方式アクセス領域または第2のCTUリソースに関する情報に従って、グラントフリー伝送モードで信号を送信する。
【００１７】
第2の実施態様の第1の可能な実装に関して、第2の可能な実装では、ハンドオーバ要求メッセージは、ハンドオーバ前に、グラントフリー伝送のために端末装置によって使用される第1のCTUリソースに関する情報を含み、第2のネットワーク装置によって、グラントフリー伝送モードでCTUリソース上で、端末装置が送信した信号のブラインド検出を行うステップは、第2のネットワーク装置によって、第2のCTUリソースに基づいて、グラントフリー伝送で第2のCTUリソース上で、端末装置が送信した信号のブラインド検出を行うステップを含む。
【００１８】
第2の実施態様の第2の可能な実装に関連して、第3の可能な実装では、第2のネットワーク装置が、端末装置に第1のCTUリソースを使用してグラントフリー伝送を行うことを許可する場合、第2のCTUリソースは、第1のCTUリソースと同じである、または第2のネットワーク装置が、端末装置に第1のCTUリソースを使用してグラントフリー伝送を行うことを許可しない場合、第2のCTUリソースは、第1のCTUリソースと異なる。
【００１９】
第2の実施態様の第2または第3の可能な実装に関連して、第4の可能な実装では、第2のネットワーク装置によって、グラントフリー伝送を行うために、第1のネットワーク装置から第2のネットワーク装置に端末装置をハンドオーバすることを判定するステップは、第2のネットワーク装置によって、第2のネットワーク装置のコンテンション方式アクセス領域の負荷状況、第2のネットワーク装置の負荷状況、または第1のCTUリソースのうちの少なくとも1つに従って、第2のネットワーク装置に端末装置をハンドオーバするように判定するステップを含む。
【００２０】
第2の実施態様の第1の可能な実装に関連して、第5の可能な実装では、ハンドオーバ要求メッセージは、端末装置がグラントフリー伝送をサポートしていることを示すために使用される情報を含み、ハンドオーバ要求確認メッセージは、第2のネットワーク装置が端末装置に使用を許可する第2のCTUリソースに関する情報を含む。
【００２１】
第2の実施態様の第5の可能な実装に関連して、第6の可能な実装では、第2のネットワーク装置によって、グラントフリー伝送を行うために、第1のネットワーク装置から第2のネットワーク装置に端末装置をハンドオーバすることを判定するステップは、第2のネットワーク装置のコンテンション方式アクセス領域の負荷状況または第2のネットワーク装置の負荷状況のうちの少なくとも1つに従って、第2のネットワーク装置に端末装置をハンドオーバするように判定するステップを含む。
【００２２】
第2の実施態様の前述の可能な実装のいずれか1つに関連して、第7の可能な実装では、CTUリソースに関する情報は、時間−周波数リソース、コードリソース、もしくはパイロットのうちの少なくとも1つに関する情報、CTU情報、またはコンテンション方式アクセス領域に関する情報を含む。
【００２３】
第3の実施態様によれば、グラントフリー伝送のためのハンドオーバ方法が提供され、端末装置によって、第1のネットワーク装置が送信したハンドオーバ指示メッセージを受信するステップであって、ハンドオーバ指示メッセージは、グラントフリー伝送を行うために、端末装置を第1のネットワーク装置から第2のネットワーク装置にハンドオーバするように指示するために使用される、ステップと、端末装置によって、ハンドオーバ指示メッセージに従って、グラントフリー伝送モードでコンテンション方式送信ユニットCTUリソース上で第2のネットワーク装置に信号を送信するステップと、を含む。
【００２４】
第３の実施態様の第１の可能な実装において、端末装置は、ハンドオーバ前に第1のCTUリソースを用いてグラントフリー伝送を行い、ハンドオーバ指示メッセージは、第2のネットワーク装置が端末装置に使用を許可する第2のCTUリソースに関する情報を含み、その結果、端末装置は、グラントフリー伝送モードで第2のコンテンション方式送信ユニットCTUリソース上で信号を送信する。
【００２５】
第3の実施態様の第1の可能な実装に関連して、第2の可能な実装では、第2のネットワーク装置が、端末装置に第1のCTUリソースを使用してグラントフリー伝送を行うことを許可する場合、第2のCTUリソースは、第1のCTUリソースと同じである、または第2のネットワーク装置が、端末装置に第1のCTUリソースを使用してグラントフリー伝送を行うことを許可しない場合、第2のCTUリソースは、第1のCTUリソースと異なる。
【００２６】
第3の実施態様の第1の可能な実装に関連して、第3の可能な実装では、端末装置によって、ハンドオーバ指示メッセージに従って、グラントフリー伝送モードでCTUリソース上で第2のネットワーク装置に信号を送信するステップは、端末装置によって、ハンドオーバ指示メッセージで運ばれる第2のCTUリソースに関する情報に従って、端末装置を第2のネットワーク装置にハンドオーバした後に行われるグラントフリー伝送で使用されるCTUを判定するステップと、端末装置によって、グラントフリー伝送モードでCTU上で信号を送信するステップと、を含む。
【００２７】
第3の実施態様の第3の可能な実装に関連して、第4の可能な実装では、第2のCTUリソースはコンテンション方式アクセス領域であり、端末装置によって、ハンドオーバ指示メッセージで運ばれる第2のCTUリソースに関する情報に従って、端末装置を第2のネットワーク装置にハンドオーバした後に行われるグラントフリー伝送で使用されるCTUを判定するステップは、端末装置によって、ハンドオーバ指示メッセージで運ばれるコンテンション方式アクセス領域に関する情報に従って、コンテンション方式アクセス領域内のCTUの数を判定するステップと、端末装置によって、次の式、すなわち、
IndxCTU＝Sigi mod NCTU
に従ってCTUを判定するステップであって、ここで、IndxCTUはCTUのインデックス番号であり、modはモジュロ演算を表し、NCTUはコンテンション方式アクセス領域内のCTUの数を表し、Sigiは端末装置のコードリソースのインデックスを表す、ステップと、を含む。
【００２８】
第3の実施態様の第１から第3の可能な実装のいずれか1つに関連して、第5の可能な実装では、CTUリソースに関する情報は、時間−周波数リソース、コードリソース、もしくはパイロットのうちの少なくとも1つに関する情報、CTU情報、またはコンテンション方式アクセス領域に関する情報を含む。
【００２９】
第4の実施態様によれば、ネットワーク装置が提供され、第2のネットワーク装置にハンドオーバ要求メッセージを送信するように構成された送信モジュールであって、ハンドオーバ要求メッセージは、グラントフリー伝送を行うために、端末装置をネットワーク装置から第2のネットワーク装置にハンドオーバするように要求するために使用される、送信モジュールと、第2のネットワーク装置が送信したハンドオーバ要求確認メッセージを受信するように構成された受信モジュールであって、ハンドオーバ要求確認メッセージは、グラントフリー伝送を行うために、端末装置をネットワーク装置から第2のネットワーク装置へハンドオーバすることを確認するために使用される、受信モジュールであって、送信モジュールは、端末装置にハンドオーバ指示メッセージを送信するようにさらに構成され、ハンドオーバ指示メッセージは、グラントフリー伝送モードでコンテンション方式送信ユニットCTUリソース上で第2のネットワーク装置に信号を送信するように端末装置に指示するために使用される、受信モジュールと、を備える。
【００３０】
第1の可能な実装では、ハンドオーバ要求確認メッセージは、第2のネットワーク装置が端末装置に使用を許可する第2のCTUリソースに関する情報を含み、ハンドオーバ指示メッセージは、第2のCTUリソースに関する情報を含み、その結果、端末装置は、グラントフリー伝送モードで第2のCTUリソース上で信号を送信する。
【００３１】
第4の実施態様の第1の可能な実装に関連して、第2の可能な実装では、ハンドオーバ要求メッセージは、ハンドオーバ前に、グラントフリー伝送のために端末装置によって使用される第1のCTUリソースに関する情報を含む。
【００３２】
第4の実施態様の第2の可能な実装に関連して、第3の可能な実装では、第2のネットワーク装置が、端末装置に第1のCTUリソースを使用してグラントフリー伝送を行うことを許可する場合、第2のCTUリソースは、第1のCTUリソースと同じである、または第2のネットワーク装置が、端末装置に第1のCTUリソースを使用してグラントフリー伝送を行うことを許可しない場合、第2のCTUリソースは、第1のCTUリソースと異なる。
【００３３】
第4の実施態様の第1の可能な実装に関連して、第4の可能な実装では、ハンドオーバ要求メッセージは、端末装置がグラントフリー伝送をサポートしていることを示すために使用される情報を含み、ハンドオーバ要求確認メッセージは、第2のネットワーク装置が端末装置に使用を許可する第2のCTUリソースに関する情報を含み、ハンドオーバ指示メッセージは、第2のネットワーク装置が端末装置に使用を許可する第2のCTUリソースに関する情報を含み、その結果、端末装置は、グラントフリー伝送モードで第2のCTUリソース上で信号を送信する。
【００３４】
第4の実施態様の前述の可能な実装のいずれか1つに関連して、第5の可能な実装では、CTUリソースに関する情報は、時間−周波数リソース、コードリソース、もしくはパイロットのうちの少なくとも1つに関する情報、CTU情報、またはコンテンション方式アクセス領域に関する情報を含む。
【００３５】
第4の実施態様または第4の実施態様の前述の可能な実装のいずれか1つに関連して、第6の可能な実装では、ネットワーク装置は、ネットワーク装置が第2のネットワーク装置にハンドオーバ要求メッセージを送信する前に、端末装置の測定報告情報またはネットワーク装置の負荷情報のうちの少なくとも1つに従って、端末装置を第2のネットワーク装置にハンドオーバする必要があると判定するように構成された判定モジュールをさらに備える。
【００３６】
第5の実施態様によれば、ネットワーク装置が提供され、第1のネットワーク装置が送信したハンドオーバ要求メッセージを受信するように構成された受信モジュールであって、ハンドオーバ要求メッセージは、グラントフリー伝送を行うために、端末装置を第1のネットワーク装置からネットワーク装置にハンドオーバするように要求するために使用される、受信モジュールと、グラントフリー伝送を行うために、第1のネットワーク装置からネットワーク装置に端末装置をハンドオーバすることを判定するように構成された判定モジュールと、第1のネットワーク装置にハンドオーバ要求確認メッセージを送信するように構成された送信モジュールであって、ハンドオーバ要求確認メッセージは、グラントフリー伝送を行うために、端末装置を第1のネットワーク装置からネットワーク装置へハンドオーバすることを確認するために使用される、送信モジュールと、グラントフリー伝送モードでCTUリソース上で端末装置が送信した信号に対するブラインド検出を行うように構成された検出モジュールと、を備える。
【００３７】
第1の可能な実装では、ハンドオーバ要求確認メッセージは、コンテンション方式アクセス領域またはネットワーク装置が端末装置に使用を許可する第2のCTUリソースに関する情報を含み、その結果、端末装置は、コンテンション方式アクセス領域または第2のCTUリソースに関する情報に従って、グラントフリー伝送モードで信号を送信する。
【００３８】
第5の実施態様の第1の可能な実装に関して、第2の可能な実装では、ハンドオーバ要求メッセージは、ハンドオーバ前に、グラントフリー伝送のために端末装置によって使用される第1のCTUリソースに関する情報を含み、検出モジュールは、第2のCTUリソースに基づいて、グラントフリー伝送モードで第2のCTUリソース上で、端末装置が送信した信号のブラインド検出を行う。
【００３９】
第5の実施態様の第2の可能な実装に関連して、第3の可能な実装では、ネットワーク装置が、端末装置に第1のCTUリソースを使用してグラントフリー伝送を行うことを許可する場合、第2のCTUリソースは、第1のCTUリソースと同じである、またはネットワーク装置が、端末装置に第1のCTUリソースを使用してグラントフリー伝送を行うことを許可しない場合、第2のCTUリソースは、第1のCTUリソースと異なる。
【００４０】
第5の実施態様の第2または第3の可能な実装に関連して、第4の可能な実装では、
判定モジュールは、ネットワーク装置のコンテンション方式アクセス領域の負荷状況、ネットワーク装置の負荷状況、または第1のCTUリソースのうちの少なくとも1つに従って、ネットワーク装置に端末装置をハンドオーバするように判定する。
【００４１】
第5の実施態様の第1の可能な実装に関連して、第5の可能な実装では、ハンドオーバ要求メッセージは、端末装置がグラントフリー伝送をサポートしていることを示すために使用される情報を含み、ハンドオーバ要求確認メッセージは、ネットワーク装置が端末装置に使用を許可する第2のCTUリソースに関する情報を含む。
【００４２】
第5の実施態様の第5の可能な実装に関連して、第6の可能な実装では、
判定モジュールは、ネットワーク装置のコンテンション方式アクセス領域の負荷状況またはネットワーク装置の負荷状況のうちの少なくとも1つに従って、ネットワーク装置に端末装置をハンドオーバするように判定する。
【００４３】
第5の実施態様の前述の可能な実装のいずれか1つに関連して、第7の可能な実装では、CTUリソースに関する情報は、時間−周波数リソース、コードリソース、もしくはパイロットのうちの少なくとも1つに関する情報、CTU情報、またはコンテンション方式アクセス領域に関する情報を含む。
【００４４】
第6の実施態様によれば、端末装置が提供され、第1のネットワーク装置が送信したハンドオーバ指示メッセージを受信するように構成された受信モジュールであって、ハンドオーバ指示メッセージは、グラントフリー伝送を行うために、端末装置を第1のネットワーク装置から第2のネットワーク装置にハンドオーバするように指示するために使用される、受信モジュールと、ハンドオーバ指示メッセージに従って、グラントフリー伝送モードでコンテンション方式送信ユニットCTUリソース上で第2のネットワーク装置に信号を送信するように構成された送信モジュールと、を備える。
【００４５】
第6の実施態様の第1の可能な実装において、端末装置は、ハンドオーバ前に第1のCTUリソースを用いてグラントフリー伝送を行い、ハンドオーバ指示メッセージは、第2のネットワーク装置が端末装置に使用を許可する第2のCTUリソースに関する情報を含み、その結果、端末装置は、グラントフリー伝送モードで第2のコンテンション方式送信ユニットCTUリソース上で信号を送信する。
【００４６】
第6の実施態様の第1の可能な実装に関連して、第2の可能な実装では、第2のネットワーク装置が、端末装置に第1のCTUリソースを使用してグラントフリー伝送を行うことを許可する場合、第2のCTUリソースは、第1のCTUリソースと同じである、または第2のネットワーク装置が、端末装置に第1のCTUリソースを使用してグラントフリー伝送を行うことを許可しない場合、第2のCTUリソースは、第1のCTUリソースと異なる。
【００４７】
第6の実施態様の第1の可能な実装に関連して、第3の可能な実装では、第6の実施態様による端末装置は、ハンドオーバ指示メッセージで運ばれる第2のCTUリソースに関する情報に従って、端末装置を第2のネットワーク装置にハンドオーバした後に行われるグラントフリー伝送で使用されるCTUを判定するように構成された判定モジュールをさらに備え、送信モジュールは、グラントフリー伝送モードでCTU上で信号を送信する。
【００４８】
第6の実施態様の第3の可能な実装に関連して、第4の可能な実装では、第2のCTUリソースはコンテンション方式アクセス領域であり、判定モジュールは、ハンドオーバ指示メッセージで運ばれるコンテンション方式アクセス領域に関する情報に従って、コンテンション方式アクセス領域内のCTUの数を判定し、
端末装置は、次の式、すなわち、
IndxCTU＝Sigi mod NCTU
に従ってCTUを判定し、ここで、IndxCTUはCTUのインデックス番号であり、modはモジュロ演算を表し、NCTUはコンテンション方式アクセス領域内のCTUの数を表し、Sigiは端末装置のコードリソースのインデックスを表す。
【００４９】
第6の実施態様の前述の可能な実装のいずれか1つに関連して、第5の可能な実装では、CTUリソースに関する情報は、時間−周波数リソース、コードリソース、もしくはパイロットのうちの少なくとも1つに関する情報、CTU情報、またはコンテンション方式アクセス領域に関する情報を含む。
【００５０】
本発明の技術的解決策に基づいて、第1のネットワーク装置は、グラントフリー伝送を行うために、第2のネットワーク装置に対して、第1のネットワーク装置から第2のネットワーク装置に端末装置をハンドオーバすることを要求し、第2のネットワーク装置がハンドオーバを許可した後、グラントフリー伝送モードでCTU上で第2のネットワーク装置に信号を送信するように端末装置に指示する。このようにして、端末装置は、グラントフリー伝送を行うために、ネットワーク装置から別のネットワーク装置にハンドオーバされる。
【００５１】
本発明の実施形態における技術的な解決策をより明確に説明するために、以下、実施形態または従来技術を説明するために必要な添付の図面を簡単に説明する。当然のことながら、以下の説明における添付の図面は、本発明の一部の実施形態を単に示すものであり、当業者は、創造的努力がなくても、これらの添付の図面から他の図面をさらに導出することができる。
【図面の簡単な説明】
【００５２】
【図１】本発明の一実施形態が適用される通信システムの概略的なアーキテクチャ図である。
【図２】本発明の一実施形態によるCTUリソース定義の概略図である。
【図３】本発明の一実施形態による、グラントフリー伝送のためのハンドオーバ方法の概略的な流れ図である。
【図４】本発明の別の実施形態による、グラントフリー伝送のためのハンドオーバ方法の概略的な流れ図である。
【図５】本発明のさらに別の実施形態による、グラントフリー伝送のためのハンドオーバ方法の概略的な流れ図である。
【図６】本発明の別の実施形態による、グラントフリー伝送のためのハンドオーバプロセスの概略的な流れ図である。
【図７】本発明の別の実施形態による、グラントフリー伝送のためのハンドオーバプロセスの概略的な流れ図である。
【図８】本発明の一実施形態によるネットワーク装置の概略的な構造図である。
【図９】本発明の別の実施形態によるネットワーク装置の概略的な構造図である。
【図１０】本発明の別の実施形態による端末装置の概略的な構造図である。
【図１１】本発明の一実施形態によるネットワーク装置の概略的な構造図である。
【図１２】本発明の別の実施形態によるネットワーク装置の概略的な構造図である。
【図１３】本発明の別の実施形態による端末装置の概略的な構造図である。
【発明を実施するための形態】
【００５３】
以下、本発明の実施形態における添付の図面を参照しながら、本発明の実施形態における技術的な解決策を明確かつ完全に説明する。当然のことながら、説明される実施形態は、本発明の実施形態の一部であり、すべてではない。本発明の実施形態に基づいて、当業者によって創造的努力なしに得られるすべての他の実施形態は、本発明の保護範囲内に含まれるものとする。
【００５４】
本発明の技術的解決策は、様々な通信システムに適用できる、例えば、GSM（Global System for Mobile communication、汎欧州デジタル移動電話方式）システム、CDMA（Code Division Multiple Access、符号分割多元接続）システム、WCDMA（登録商標）（Wideband Code Division Multiple Access、広帯域符号分割多元接続）システム、GPRS（General Packet Radio Service、汎用パケット無線サービス）システム、LTE（Long Term Evolution、ロングタームエボリューション）システム、LTE−A（Long Term Evolution Advanced、ロングタームエボリューションアドバンスト）システム、およびUMTS（Universal Mobile Telecommunications System、ユニバーサルモバイルテレコミュニケーションシステム）に適用できることを理解されたい。これは、本発明の実施形態において限定されない。ただし、説明の便宜上、本発明の実施形態はLTEネットワークを例に説明する。
【００５５】
本発明の実施形態は、異なる規格の無線ネットワークに適用することができる。異なるシステムにおける無線アクセスネットワークは、異なるネットワーク要素を含むことができる。例えば、LTEまたはLTE−Aにおける無線アクセスネットワークのネットワーク要素としては、eNB（eNodeB、発展形ノードB）が挙げられ、WCDMAにおける無線アクセスネットワークのネットワーク要素としては、RNC（Radio Network Controller、無線ネットワークコントローラ）およびNodeBが挙げられる。同様に、本発明の実施形態と同様の解決策は、WiMAX（Worldwide Interoperability for Microwave Access、ワールドワイド・インターオペラビリティ・フォー・マイクロウェーブ・アクセス）などの別の無線ネットワークでも使用でき、基地局システムの関連モジュールのみが異なる。これは、本発明の実施形態において限定されない。ただし、説明の便宜上、以下、実施形態はeNodeBを例に説明する。
【００５６】
以下、本発明の実施形態における添付の図面を参照しながら、本発明の実施形態における技術的な解決策を明確かつ完全に説明する。当然のことながら、説明される実施形態は、本発明の実施形態の一部であり、すべてではない。本発明の実施形態に基づいて、当業者によって創造的努力なしに得られるすべての他の実施形態は、本発明の保護範囲内に含まれるものとする。
【００５７】
本明細書で使用する「コンポーネント」、「モジュール」、および「システム」などの用語は、コンピュータ関連エンティティ、ハードウェア、ファームウェア、ハードウェアとソフトウェアとの組み合わせ、ソフトウェア、または実行されているソフトウェアを示すために使用される。例えば、コンポーネントは、限定するものではないが、プロセッサ上で稼働するプロセス、プロセッサ、オブジェクト、実行ファイル、実行スレッド、プログラム、および／またはコンピュータとし得る。図示のように、計算装置上で稼働するアプリケーションと計算装置との両方ともコンポーネントであり得る。プロセスおよび／または実行スレッド内に1つ以上のコンポーネントが存在でき、コンポーネントは、1つのコンピュータに配置されてもよい、および／または2つ以上のコンピュータに分散されてもよい。加えて、これらのコンポーネントは、様々なデータ構造を記憶する様々なコンピュータ可読媒体から実行されてもよい。コンポーネントどうしは、ローカルおよび／またはリモートのプロセスを用いて、また例えば、1つ以上のデータパケット（例えば、ローカルシステム、分散システムにおいて、および／または信号を用いて別のシステムと相互作用するインターネットなどのネットワークを介して、別のコンポーネントと相互作用するコンポーネントからのデータ）を有する信号に従って、通信してよい。
【００５８】
本発明の実施形態における技術的解決策は、様々な通信システムに適用できる、例えば、汎欧州デジタル移動電話方式（Global System for Mobile Communication、略称「GSM（登録商標）」）システム、符号分割多元接続（Code Division Multiple Access、略称「CDMA」）システム、広帯域符号分割多元接続（Wideband Code Division Multiple Access、略称「WCDMA」）システム、ロングタームエボリューション（Long Term Evolution、略称「LTE」）システム、LTE周波数分割複信（Frequency Division Duplex、略称「FDD」）システム、LTE時間分割複信（Time Division Duplex、略称「TDD」）システム、ユニバーサルモバイルテレコミュニケーションシステム（Universal Mobile Telecommunication System、略称「UMTS」）、および将来の5G通信システムに適用できることを理解されたい。
【００５９】
本発明は、端末装置に関連して実施形態を説明する。端末装置はまた、ユーザ機器（User Equipment、略称「UE」）、アクセス端末、加入者ユニット、加入者局、移動局、モバイル端末、リモートステーション、リモート端末、モバイル装置、ユーザ端末、端末、無線通信装置、ユーザエージェント、またはユーザ装置であってよい。アクセス端末は、携帯電話、コードレス電話、セッション・イニシエーション・プロトコル（Session Initiation Protocol、略称「SIP」）電話、無線ローカルループ（Wireless Local Loop、略称「WLL」）局、携帯情報端末（Personal Digital Assistant、略称「PDA」）、無線通信機能を有する携帯機器、コンピューティングデバイス、または無線モデムに接続された別の処理装置、車載装置、ウェアラブルデバイス、将来の5Gネットワークの端末装置、将来の発展形PLMNネットワークの端末装置などであり得る。
【００６０】
本発明は、ネットワーク装置に関連して実施形態を説明する。ネットワーク装置は、端末装置と通信するように構成された装置であってもよい。例えば、ネットワーク装置は、GSMシステムまたはCDMAにおけるベーストランシーバ基地局（Base Transceiver Station、略称「BTS」）であってもよいし、WCDMAにおけるNodeB（NodeB、略称「NB」）であってもよいし、LTEシステムにおける発展形NodeB（Evolved NodeB、略称「eNB」または「eNodeB」）であってもよい。あるいは、ネットワーク装置は、中継局、アクセスポイント、車載装置、ウェアラブルデバイス、将来の5Gネットワークのネットワーク側装置、将来の発展形PLMNネットワークのネットワーク装置などであってもよい。
【００６１】
加えて、本発明の実施態様または特徴は、標準的なプログラミングおよび／またはエンジニアリング技術を使用する方法、装置、または製品として実施されてもよい。本出願で使用される用語「製品」は、任意のコンピュータ可読構成要素、キャリア、または媒体からアクセス可能なコンピュータプログラムを包含する。例えば、コンピュータ可読媒体としては、限定されるものではないが、磁気記憶装置（例えば、ハードディスク、フロッピーディスク、または磁気テープ）、光ディスク（例えば、CD（Compact Disc、コンパクトディスク）またはDVD（Digital Versatile Disc、デジタル多用途ディスク））、スマートカード、フラッシュメモリデバイス（例えば、EPROM（Erasable Programmable Read−Only Memory、消去型プログラマブル読み取り専用メモリ）、カード、スティック、またはキードライブ）が挙げられる。加えて、本明細書で説明される様々な記憶媒体は、情報を記憶するように構成された1つ以上の装置および／または他の機械可読媒体を示すことができる。「機械可読媒体」という用語は、限定されるものではないが、無線チャネル、ならびに命令および／またはデータを記憶、格納、および／または保持できる様々な他の媒体を含む。
【００６２】
汎欧州デジタル移動電話方式（英語正式名：Global System for Mobile Communications、略称GSM）、広帯域符号分割多元接続（英語正式名：Wideband Code Division Multiple Access、略称WCDMA）システム、またはロングタームエボリューション（英語正式名：Long Term Evolution、略称LTE）システムなどの既存のセルラー方式通信システムでは、音声およびデータ通信が主にサポートされる。一般に、従来の基地局によってサポートされる接続の数は限られており、実装が容易である。
【００６３】
次世代移動体通信システムは、従来の通信をサポートするだけでなく、MTC（英語正式名：Machine Type Communication）とも呼ばれるM2M（英語正式名：Machine to Machine）通信をサポートする。2020年には、500億〜1000億のMTCデバイスがネットワークを介して接続されることが予測されている。これは現在の接続数を大きく上回る。M2Mでは、サービスの種類が多様化しているため、ネットワークの要件が大きく異なる。おおまかに言えば、以下のいくつかの要件、すなわち、信頼できる伝送ではあるが耐遅延である伝送、および低遅延かつ高信頼性の伝送が存在し得る。信頼できる伝送を必要とするが、耐遅延であるサービスは比較的扱いやすい。しかしながら、V2V（英語正式名：Vehicle to Vehicle）サービスなどの低遅延かつ高信頼性の伝送が要求されるサービスでは、伝送遅延が少なく、伝送が信頼できるものでなければならない。送信が信頼できない場合、再送信が生じる。その結果、伝送遅延が過度に大きくなり、要件を満たすことができなくなる。
【００６４】
大量の接続の存在により、将来の無線通信システムは、既存の通信システムと大きく異なってくる。大量の接続は、端末装置アクセスのため、および端末装置によるデータ送信に関連するシグナリング送信のスケジューリングのためにより多くのリソースを消費する必要がある。
【００６５】
単純化された概略的なネットワーク図を図1に提供する。ネットワーク100には、例えば、ネットワーク装置102がある。ネットワーク装置102は、端末装置104〜114（図中、略してUEという）に無線方式、有線方式、または別の方式で接続されている。
【００６６】
本特許のネットワークは、地上波公共移動通信ネットワーク（英語完全名：Public Land Mobile Network、略称PLMN）、D2Dネットワーク、M2Mネットワーク、または別のネットワークであってもよい。図1は、一例として使用する、単純化された概略図にすぎない。ネットワークは、図1には示されていない別のネットワーク装置をさらに含むことができる。
【００６７】
本特許出願の端末装置はまた、ユーザ機器（英語正式名：User Equipment、略称UE）、アクセス端末、加入者ユニット、加入者局、移動局、モバイル端末、リモートステーション、リモート端末、モバイル装置、ユーザ端末、端末、無線通信装置、ユーザエージェント、またはユーザ装置であってよい。アクセス端末は、携帯電話、コードレス電話、セッション・イニシエーション・プロトコル（英語正式名：Session Initiation Protocol、略称SIP）電話、無線ローカルループ（英語正式名：Wireless Local Loop、略称WLL）局、携帯情報端末（英語正式名：Personal Digital Assistant、略称PDA）、無線通信機能を有する携帯機器、コンピューティングデバイス、または無線モデムに接続された別の処理装置、車載装置、ウェアラブルデバイス、将来の5Gネットワークの端末装置、将来の発展形PLMNネットワークの端末装置などであり得る。
【００６８】
本特許出願におけるネットワーク装置は、端末装置と通信するように構成された装置であってもよい。ネットワーク装置は、GSMまたは符号分割多元接続（英語正式名：Code Division Multiple Access、略称CDMA）におけるBTS（英語正式名：Base Transceiver Station、ベーストランシーバ基地局）であってもよいし、WCDMAにおけるNB（英語正式名：NodeB）であってもよいし、クラウド無線アクセスネットワーク（英語正式名：Cloud Radio Access Network、略称CRAN）シナリオにおける無線コントローラであってもよいし、LTEにおけるeNBまたはeNodeB（英語正式名：Evolved NodeB）、アクセスポイント、車載装置、ウェアラブルデバイス、将来の5Gネットワークのネットワーク側装置、将来の発展形PLMNネットワークのネットワーク装置などであってもよい。
【００６９】
将来のネットワークにおける大量のMTCサービスを処理し、低遅延かつ高信頼性のサービス伝送を満足するために、本特許はグラントフリー伝送を提案している。グラントフリー伝送は、英語でgrant freeと表現され得る。ここで、グラントフリー伝送は、上りリンクデータ送信のためのものであってもよい。グラントフリー伝送は、以下の意味のいずれか1つ以上のものとして、または以下の意味の2つ以上のいくつかの技術的特徴の組み合わせとして理解することができる。
【００７０】
グラントフリー伝送とは、ネットワーク装置が、複数の送信リソースを端末装置に予め割り当て、複数の送信リソースを端末装置に通知し、端末装置が上りリンクデータ送信要求を有する場合、端末装置は、ネットワーク装置によって予め割り当てられた複数の送信リソースから少なくとも1つの送信リソースを選択し、選択された送信リソースを用いて上りリンクデータを送信し、ネットワーク装置は、予め割り当てられた複数の送信リソースのうちの1つ以上において、端末装置によって送信された上りリンクデータを検出することを意味し得る。検出は、ブラインド検出であってもよいし、上りリンクデータの制御領域に従って行われる検出であってもよいし、別の方式で行われる検出であってもよい。
【００７１】
グラントフリー伝送とは、ネットワーク装置が、複数の送信リソースを端末装置に予め割り当て、複数の送信リソースを端末装置に通知し、その結果、端末装置が上りリンクデータ送信要求を有する場合、端末装置は、ネットワーク装置によって予め割り当てられた複数の送信リソースから少なくとも1つの送信リソースを選択し、選択された送信リソースを用いて上りリンクデータを送信することを意味し得る。
【００７２】
グラントフリー伝送は、予め割り当てられた複数の送信リソースに関する情報が取得され、上りリンクデータ送信要求がある場合、複数の送信リソースから少なくとも1つの送信リソースが選択され、選択された送信リソースを使用して上りリンクデータが送信されることを意味し得る。取得方式は、予め割り当てられた複数の送信リソースに関する情報をネットワーク装置から取得することであってもよい。
【００７３】
グラントフリー伝送は、ネットワーク装置によって行われる動的スケジューリングを伴わない端末装置の上りリンクデータ送信を実施する方法を意味し得る。動的スケジューリングは、ネットワーク装置が、シグナリングを使用して、端末装置の各上りリンクデータ送信のための送信リソースを示すスケジューリング方式であってもよい。場合により、端末装置の上りリンクデータ送信を実施することは、以下、すなわち、2つ以上の端末装置は、同じ時間−周波数リソース上で上りリンクデータ送信を行うことが許可されると理解され得る。場合により、送信リソースは、UEがシグナリングを受信した時点に続く1つ以上の送信時間単位の送信リソースであってもよい。1つの送信時間単位は、1つの送信の最小時間単位、例えば、TTI（Transmission Time Interval）であってもよく、その値は1msであってもよい。あるいは、1つの送信時間単位は、予め設定された送信時間単位であってもよい。
【００７４】
グラントフリー伝送は、端末装置が、ネットワーク装置による許可を伴わずに上りリンクデータ送信を行うことを意味し得る。許可は、端末装置がネットワーク装置に上りリンクスケジューリング要求を送信し、スケジューリング要求を受信した後、ネットワーク装置は、上りリンク許可を端末装置に送信し、上りリンク許可は、端末装置に割り当てられた上りリンク送信リソースを示すことを意味する。
【００７５】
グラントフリー伝送は、コンテンションベースの送信モードを意味することができ、具体的には、複数の端末が基地局による許可を伴わずに同じ事前割り当て時間−周波数リソース上で上りリンクデータ送信を同時に行うことを意味する。
【００７６】
データは、サービスデータまたはシグナリングデータを含むことができる。
【００７７】
ブラインド検出は、到着する可能性のあるデータに対して、データが到着したかどうかが事前に分からないときに行われる検出と理解され得る。ブラインド検出は、明示的なシグナリング指示なしに行われる検出として理解されてもよい。
【００７８】
送信リソースは、限定されるものではないが、以下のリソースのうちの1つ、または、以下のリソースのうちの2つ以上の組み合わせを含むことができる：無線フレーム、サブフレーム、およびシンボルなどの時間領域リソース、サブキャリアやリソースブロックなどの周波数領域リソース、送信アンテナやビームなどの空間領域リソース、散在符号多重接続（英語正式名：Sparse Code Multiple Access、略称SCMA）コードブックセット、低密度シグネチャ（英語フルネーム：Low Density Signature、略称LDS）グループ、ならびにCDMAコードグループなどのコード領域リソース、または上りリンクパイロットリソース。
【００７９】
前述の送信リソースは、限定されるものではないが、以下、すなわち、上りリンク送信電力の上限の制御などの上りリンク電力制御、トランスポートブロックサイズ設定、コードレート設定、または変調次数設定などの変調および符号化方式設定、ならびにHARQメカニズムなどの再送信メカニズムを含む制御メカニズムに従って行われる送信のために使用されてもよい。
【００８０】
コンテンション方式送信ユニット（英語正式名：Contention Transmission Unit、略称CTU）は、グラントフリー伝送のための基本送信リソースであってもよい。CTUは、時間、周波数、およびコード領域リソースの組み合わせを有する送信リソースであってもよいし、時間、周波数、およびパイロットリソースの組み合わせを有する送信リソースであってもよいし、時間、周波数、コード領域、およびパイロットリソースの組み合わせを有する送信リソースであってもよい。
【００８１】
CTUアクセス領域は、グラントフリー伝送に使用される時間−周波数リソース領域であってもよい。
【００８２】
国際出願CN2014／073084号の「System and Method for Uplink Grant−Free Transmission Scheme」と題する特許出願は、上りリンクグラントフリー伝送の技術的解決策を提供する。国際出願CN2014／073084号明細書は、無線リソースが様々なCTUに分割され、UEデータがCTUにマッピングされることを説明している。1つのコードグループを各CTUに割り当てることができる。割り当てられたコードグループは、CDMAコードのグループであってもよいし、SCMAコードブックセット、LDSグループ、シグネチャ（signature）グループなどであってもよい。各コードは、1つのパイロットグループに対応することができる。ユーザは、1つのコードと、コードに対応するパイロットグループ内の1つのパイロットとを選択して、上りリンク送信を行うことができる。国際出願CN2014／073084号明細書の内容はまた、参照により本発明の実施形態の内容に組み込まれる部分として理解され、詳細は説明しない。
【００８３】
図2は、本発明の一実施形態によるCTUリソース定義の概略図である。
【００８４】
図2は、4つのコンテンション方式アクセス領域（CTUアクセス領域とも呼ばれる）210、220、230、および240を示す。利用可能な帯域幅は、4つのコンテンション方式アクセス領域の時間−周波数リソース領域に分割される。各コンテンション方式アクセス領域は、予め設定された量のリソースブロック（Resource Block）を占有することができる。例えば、図2の実施形態では、コンテンション方式アクセス領域210は、RB1、RB2、RB3、およびRB4の4つのRBを含む。本発明の本実施形態はこれに限定されない。例えば、異なるコンテンション方式アクセス領域は、異なる量のRBを含むことができる。図2では、各コンテンション方式アクセス領域は、コンテンション方式アクセス領域に定義された36のCTUを競合する36のUEをサポートすることができる。各CTUは、時間リソース、周波数リソース、コードリソース、およびパイロットの組み合わせである。コードリソースとしては、符号分割多元接続（Code Division Multiple Access、CDMA）コード、散在符号多重接続（Sparse Code Multiple Access、SCMA）コード、低密度シグネチャ（Low Density Signature、LDS）、別のシグネチャ（signature）などが挙げられる。各コンテンション方式アクセス領域は、1つの時間−周波数リソース領域を占有する。各時間−周波数リソース領域は6つのシグネチャ（S1〜S6）をサポートし、各シグネチャは6つのパイロットにマッピングされ、それによって、合計で36個のパイロット（P1〜P36）を生成する。基地局は、CTU上で各UEが送信した信号をパイロット／シグネチャ・デコリレータを使用して検出または復号することができる。
【００８５】
説明の便宜上、図2は4つのコンテンション方式アクセス領域を示すことを理解されたい。本発明の本実施形態はこれに限定されない。より多くのまたはより少ないコンテンション方式アクセス領域が必要に応じて定義されてもよい。
【００８６】
図3は、本発明の一実施形態による、グラントフリー伝送のためのハンドオーバ方法の概略的な流れ図である。図3の方法は、図1のネットワーク装置（例えば、基地局）によって実行される。
【００８７】
310：第1のネットワーク装置は、第2のネットワーク装置にハンドオーバ要求メッセージを送信し、ハンドオーバ要求メッセージは、グラントフリー伝送を行うために、端末装置を第1のネットワーク装置から第2のネットワーク装置にハンドオーバするように要求するために使用される。
【００８８】
320：第1のネットワーク装置は、第2のネットワーク装置が送信したハンドオーバ要求確認メッセージを受信し、ハンドオーバ要求確認メッセージは、グラントフリー伝送を行うために、端末装置を第1のネットワーク装置から第2のネットワーク装置へハンドオーバすることを確認するために使用される。
【００８９】
330：第1のネットワーク装置は、端末装置にハンドオーバ指示メッセージを送信し、ハンドオーバ指示メッセージは、グラントフリー伝送モードでCTUリソース上で第2のネットワーク装置に信号を送信するように端末装置に指示するために使用される。
【００９０】
具体的には、第1のネットワーク装置は移動元ネットワーク装置であり、第2のネットワーク装置は移動先ネットワーク装置である。ハンドオーバの前に、端末装置は、グラントフリー伝送モードで第1のネットワーク装置と通信する。ハンドオーバ後、端末装置は、グラントフリー伝送モードで第2のネットワーク装置と通信する。ハンドオーバ条件が満たされた場合（例えば、端末装置と第2のネットワーク装置との間のチャネルの品質が、端末装置と第1のネットワーク装置との間のチャネルの品質よりも良い場合、または端末装置が第1のネットワーク装置のカバレッジエリアから第2のネットワーク装置のカバレッジエリアに入った場合）、第1のネットワーク装置は、ハンドオーバ要求メッセージを用いて、ハンドオーバプロセスを第2のネットワーク装置に対して開始する。第2のネットワーク装置は、ハンドオーバ要求メッセージを受信した後、端末装置が第2のネットワーク装置にグラントフリー伝送モードでアクセスすることを許可すると第2のネットワーク装置が判定した場合、第1のネットワーク装置にハンドオーバ要求確認メッセージを送信する。第1のネットワーク装置が、ハンドオーバ要求確認メッセージに従って、第2のネットワーク装置がハンドオーバを許可したことを判定した場合、第1のネットワーク装置は、端末装置にハンドオーバ指示メッセージを送信する。端末装置は、ハンドオーバ要求指示メッセージに従って、グラントフリー伝送モードでCTUリソース上で第2のネットワーク装置に信号を送信する。
【００９１】
CTUリソースは、グラントフリー伝送に使用されるコンテンション方式アクセス領域であってもよいし、コンテンション方式アクセス領域に含まれるCTUであってもよい。本発明の本実施形態はこれに限定されない。あるいは、CTUリソースは、CTUに含まれる時間周波数リソース、コードリソース、またはパイロットのうちの少なくとも1つであってもよい。例えば、時間領域リソースは、無線フレーム、サブフレーム、シンボルなどであってもよく、周波数領域リソースは、サブキャリア、リソースブロックなどであってもよく、コード領域リソースは、散在符号多重接続（英語正式名：Sparse Code Multiple Access、略称「SCMA」）コードブック、低密度シグネチャ（英語フルネーム：Low Density Signature、略称「LDS」）、CDMAコードなどであってもよい。
【００９２】
本発明の本実施形態によれば、第1のネットワーク装置は、グラントフリー伝送を行うために、第2のネットワーク装置に対して、第1のネットワーク装置から第2のネットワーク装置に端末装置をハンドオーバすることを要求し、第2のネットワーク装置がハンドオーバを許可した後、グラントフリー伝送モードでCTU上で第2のネットワーク装置に信号を送信するように端末装置に指示する。このようにして、端末装置は、グラントフリー伝送を行うために、ネットワーク装置から別のネットワーク装置にハンドオーバされる。
【００９３】
本発明の本実施形態によれば、ハンドオーバ要求確認メッセージは、第2のネットワーク装置が端末装置に使用を許可する第2のCTUリソースに関する情報を含み、ハンドオーバ指示メッセージは、第2のCTUリソースに関する情報を含み、その結果、端末装置は、グラントフリー伝送モードで第2のCTUリソース上で信号を送信する。
【００９４】
具体的には、ハンドオーバ要求確認メッセージおよびハンドオーバ指示メッセージは、端末装置がグラントフリー伝送に使用することを第2のネットワーク装置が許可するという、CTUリソースに関する情報を運び、その結果、端末装置は、CTUリソースに関する情報に従って、グラントフリー伝送を行うためのCTUを判定する。第2のネットワーク装置は、端末装置が第2のネットワーク装置にアクセスするために使用するCTUリソースを事前に知ることができるので、第2のネットワーク装置は、CTUリソースに従って、グラントフリー伝送モードで送信される信号を迅速に復調することができ、ブラインド検出の範囲を低減することができる。従って、ブラインド検出の回数が減少し、ハンドオーバプロセスのシグナリングオーバーヘッドが低減される。
【００９５】
本発明の本実施形態によれば、ハンドオーバ要求メッセージは、ハンドオーバ前にグラントフリー伝送のために端末装置が使用する第1のCTUリソースに関する情報を含むことができ、ハンドオーバ要求確認メッセージは、第2のネットワーク装置が端末装置に使用を許可する第2のCTUリソースに関する情報を含み、ハンドオーバ指示メッセージは、第2のCTUリソースに関する情報を含む。
【００９６】
本発明の本実施形態によれば、第2のネットワーク装置が、端末装置に第1のCTUリソースを使用してグラントフリー伝送を行うことを許可する場合、第2のCTUリソースは、第1のCTUリソースと同じである、または第2のネットワーク装置が、端末装置に第1のCTUリソースを使用してグラントフリー伝送を行うことを許可しない場合、第2のCTUリソースは、第1のCTUリソースと異なる。つまり、第2のネットワーク装置が、端末装置に元のCTUリソースを使用して第2のネットワーク装置にアクセスすることを許可する場合、第2のネットワーク装置は、元のCTUリソースに関する情報をハンドオーバ要求確認メッセージに追加し、第2のネットワーク装置が、端末装置に元のCTUリソースを使用して第2のネットワーク装置にアクセスすることを許可しない場合、第2のネットワーク装置は、新しいCTUリソースに関する情報をハンドオーバ要求確認メッセージに追加する。加えて、第2のネットワーク装置が、端末装置に第2のネットワーク装置にアクセスすることを許可しない場合、第2のネットワーク装置は、端末装置によるアクセスが拒否されたという指示情報をハンドオーバ要求確認メッセージに追加する。
【００９７】
あるいは、別の実施形態では、第2のネットワーク装置が、端末装置に元のCTUリソースを使用して第2のネットワーク装置にアクセスすることを許可しない場合、第2のネットワーク装置は、端末装置が使用を許可されているという新しいCTUリソースに関する情報をハンドオーバ要求確認メッセージに追加してもよく、次いで、第1のネットワーク装置は、新しいCTUリソースに関する情報をハンドオーバ指示メッセージに追加し、その結果、端末装置は、CTUリソース上で信号を送信する。
【００９８】
本発明の本実施形態によれば、第1のCTUリソースは第1のCTUを含み、第2のCTUリソースは第2のCTUを含む。
【００９９】
例えば、第1のネットワーク装置は、元のCTUに関する情報をハンドオーバ要求メッセージに追加することができる。第2のネットワーク装置が、端末装置に元のCTUリソースを使用して第2のネットワーク装置にアクセスすることを許可する場合、第2のネットワーク装置は、元のCTUに関する情報をハンドオーバ要求確認メッセージに追加する。第2のネットワーク装置が、端末装置に元のCTUリソースを使用して第2のネットワーク装置にアクセスすることを許可しない場合、第2のネットワーク装置は、新しいCTUに関する情報をハンドオーバ要求確認メッセージに追加する。
【０１００】
本発明の本実施形態によれば、第2のネットワーク装置が、ハンドオーバ中にUEに元のCTUを依然として使用することを許可する場合、ソフトハンドオーバを実施することができる。
【０１０１】
本発明の本実施形態によれば、第1のCTUリソースは第1のコードリソースを含み、第2のCTUリソースは第2のコードリソースを含む。
【０１０２】
例えば、第2のネットワーク装置が、端末装置に元のコードリソースを使用して第2のネットワーク装置にアクセスすることを許可する場合、第2のネットワーク装置は、元のコードリソースに関する情報をハンドオーバ要求確認メッセージに追加し、第2のネットワーク装置が、端末装置に元のコードリソースを使用して第2のネットワーク装置にアクセスすることを許可しない場合、第2のネットワーク装置は、新しいコードリソースに関する情報をハンドオーバ要求確認メッセージに追加する。
【０１０３】
本発明の本実施形態によれば、ハンドオーバ要求メッセージは、端末装置がグラントフリー伝送をサポートしていることを示すために使用される情報を含み、ハンドオーバ要求確認メッセージは、第2のネットワーク装置が端末装置に使用を許可する第2のCTUリソースに関する情報を含み、ハンドオーバ指示メッセージは、第2のネットワーク装置が端末装置に使用を許可する第2のCTUリソースに関する情報を含み、その結果、端末装置は、グラントフリー伝送モードで第2のCTUリソース上で信号を送信する。
【０１０４】
例えば、第2のCTUリソースはコンテンション方式アクセス領域である。第1のネットワーク装置は、ハンドオーバ要求メッセージにおいて、端末装置がグラントフリー伝送をサポートしていることを示す。ハンドオーバ要求メッセージを受信した後、第2ネットワーク装置は、第2ネットワーク装置の負荷状況または第2ネットワーク装置のコンテンション方式アクセス領域の負荷状況に従って、端末装置が第2のネットワーク装置にアクセスすることを許可されるコンテンション方式アクセス領域（例えば、比較的低負荷のコンテンション方式アクセス領域）を判定し、判定したコンテンション方式アクセス領域をハンドオーバ要求確認メッセージに追加する。次いで、第1のネットワーク装置は、ハンドオーバ指示メッセージにおいて、端末装置に対してコンテンション方式アクセス領域を示す。端末装置は、ハンドオーバ指示メッセージに示されたコンテンション方式アクセス領域内の複数のCTUの中から少なくとも1つのCTUを選択して、グラントフリー伝送を行う。
【０１０５】
本発明の本実施形態によれば、端末装置は、第2のネットワーク装置によって示されるコンテンション方式アクセス領域に従って、CTUを柔軟に選択することができる。加えて、第2のネットワーク装置は、第2のネットワーク装置の負荷状況に従って、端末装置がアクセスするための、比較的低負荷のコンテンション方式アクセス領域を選択できることから、または全体の負荷状況に従って、端末装置によるアクセスを許可するかどうかを判定することから、第2のネットワーク装置は、負荷分散を実施することができる。また、第2のネットワーク装置が許可するコンテンション方式アクセス領域に従って、端末装置が適切なCTUを選択できることから、グラントフリー伝送を行う端末装置どうしの競合の確率が低減される。
【０１０６】
あるいは、別の実施形態によれば、ハンドオーバ要求メッセージは、端末装置がグラントフリー伝送をサポートしていることを示すために使用される情報を含み、ハンドオーバ要求確認メッセージは、第2のネットワーク装置が端末装置に使用を許可するCTUに関する情報を含み、ハンドオーバ指示メッセージは、第2のネットワーク装置が端末装置に使用を許可するCTUに関する情報を含み、その結果、端末装置は、グラントフリー伝送モードでCTU上で信号を送信する。
【０１０７】
換言すると、第1のネットワーク装置は、第2のネットワーク装置に、端末装置がグラントフリー伝送をサポートしていることのみを通知し、第2のネットワーク装置は、第2のネットワーク装置にアクセスするために使用されるCTUを端末装置に提供する。
【０１０８】
本発明の本実施形態によれば、CTUリソースに関する情報は、時間−周波数リソース、コードリソース、もしくはパイロットのうちの少なくとも1つに関する情報、CTU情報、またはコンテンション方式アクセス領域に関する情報を含む。
【０１０９】
あるいは、別の実施形態では、第1のネットワーク装置が、第2のネットワーク装置にハンドオーバ要求メッセージを送信する前に、本方法は、第1のネットワーク装置によって、端末装置の測定報告情報または第1のネットワーク装置の負荷情報のうちの少なくとも1つに従って、端末装置を第2のネットワーク装置にハンドオーバする必要があると判定するステップをさらに含む。
【０１１０】
例えば、第1のネットワーク装置が、測定報告のチャネル品質情報に従って、端末装置と第2のネットワーク装置との間のチャネルの品質が、端末装置と第1のネットワーク装置との間のチャネルの品質よりも良いと判定した場合、第1のネットワーク装置は、第2のネットワーク装置に端末装置をハンドオーバすると判定する。例えば、第1のネットワーク装置が、端末装置が第1のネットワーク装置のカバレッジエリアから第2のネットワーク装置のカバレッジエリアに入ったと判定した場合、第1のネットワーク装置は、第2のネットワーク装置に端末装置をハンドオーバすると判定する。別の例では、第1のネットワーク装置が過度に高負荷である場合、第1のネットワーク装置は、第2のネットワーク装置に端末装置をハンドオーバすると判定する。
【０１１１】
本発明の本実施形態は、前述のハンドオーバ決定方法に限定されないことを理解されたい。例えば、代替的に、端末装置は、通信ポートの信号強度および品質を監視し、ハンドオーバ条件が満たされた場合に、第2のネットワーク装置として最適な候補ネットワーク装置を選択し、第1のネットワーク装置へのハンドオーバ要求を開始することができる。第1のネットワーク装置は、端末装置の要求を受信すると、端末装置を第2のネットワーク装置にハンドオーバすると判定できる。別の例では、コアネットワークは、コアネットワークの管理領域内のネットワーク装置に対して、通信リンクの信号強度および品質を報告するように要求し、報告された通信リンクの信号強度および品質に基づいて、ハンドオーバを行うことができる。コアネットワークの命令を受信した後、第2のネットワーク装置は、第2のネットワーク装置に端末装置をハンドオーバすると判定する。
【０１１２】
図4は、本発明の別の実施形態による、グラントフリー伝送のためのハンドオーバ方法の概略的な流れ図である。図4の方法は、図1のネットワーク装置（例えば、基地局）によって実行される。図4の方法は、図3の方法に対応するものであり、ここでは適宜詳細を省略する。
【０１１３】
410：第2のネットワーク装置は、第1のネットワーク装置が送信したハンドオーバ要求メッセージを受信し、ハンドオーバ要求メッセージは、グラントフリー伝送を行うために、端末装置を第1のネットワーク装置から第2のネットワーク装置にハンドオーバするように要求するために使用される。
【０１１４】
420：第2のネットワーク装置は、グラントフリー伝送を行うために、第1のネットワーク装置から第2のネットワーク装置に端末装置をハンドオーバすることを判定する。
【０１１５】
430：第2のネットワーク装置は、第1のネットワーク装置にハンドオーバ要求確認メッセージを送信し、ハンドオーバ要求確認メッセージは、グラントフリー伝送を行うために、端末装置を第1のネットワーク装置から第2のネットワーク装置へハンドオーバすることを確認するために使用される。
【０１１６】
440：第2のネットワーク装置は、グラントフリー伝送モードでCTUリソース上で端末装置が送信した信号に対するブラインド検出を行う。
【０１１７】
本発明の本実施形態によれば、第2のネットワーク装置は、第1のネットワーク装置が送信したハンドオーバ要求を受信し、ハンドオーバを許可すると判定した後、第1のネットワーク装置を用いて、グラントフリー伝送モードでCTU上で第2のネットワーク装置に信号を送信するように端末装置に指示する。このようにして、端末装置は、グラントフリー伝送を行うために、ネットワーク装置から別のネットワーク装置にハンドオーバされる。
【０１１８】
本発明の本実施形態によれば、ハンドオーバ要求確認メッセージは、第2のネットワーク装置が端末装置に使用を許可する第2のCTUリソースに関する情報を含み、ハンドオーバ指示メッセージは、第2のCTUリソースに関する情報を含み、その結果、端末装置は、グラントフリー伝送モードで第2のCTUリソース上で信号を送信する。
【０１１９】
本発明の本実施形態によれば、ハンドオーバ要求メッセージは、ハンドオーバ前に、グラントフリー伝送のために端末装置によって使用される第1のCTUリソースに関する情報を含む。このケースでは、ステップ440において、第2のネットワーク装置は、第2のCTUリソースに基づいて、グラントフリー伝送モードで第2のCTUリソース上で端末装置が送信した信号に対するブラインド検出を行う。
【０１２０】
本発明の本実施形態によれば、第2のネットワーク装置が、端末装置に第1のCTUリソースを使用してグラントフリー伝送を行うことを許可する場合、第2のCTUリソースは、第1のCTUリソースと同じである、または第2のネットワーク装置が、端末装置に第1のCTUリソースを使用してグラントフリー伝送を行うことを許可しない場合、第2のCTUリソースは、第1のCTUリソースと異なる。
【０１２１】
本発明の本実施形態によれば、第1のCTUリソースは第1のCTUを含み、第2のCTUリソースは第2のCTUを含む。
【０１２２】
ステップ420では、第2のネットワーク装置は、第2のネットワーク装置のコンテンション方式アクセス領域の負荷状況、第2のネットワーク装置の負荷状況、または第1のCTUリソースのうちの少なくとも1つに従って、第2のネットワーク装置に端末装置をハンドオーバするように判定する。
【０１２３】
例えば、ハンドオーバ要求メッセージを受信した後、第2のネットワーク装置は、ハンドオーバ前に端末装置によって使用されたCTUリソースが第2のネットワーク装置にアクセスするために使用できるかどうかを最初に判定することができる。CTUリソースが位置するコンテンション方式アクセス領域が過度に負荷である場合、第2のネットワーク装置は、比較的低負荷の新しいコンテンション方式アクセス領域内のCTUリソースを端末装置に対して選択する。第2のネットワーク装置が過度に高負荷である場合、第2のネットワーク装置は、端末装置による第2のネットワーク装置へのアクセスを拒否することもできる。
【０１２４】
本発明の本実施形態によれば、ハンドオーバ要求メッセージは、端末装置がグラントフリー伝送をサポートしていることを示すために使用される情報を含み、ハンドオーバ要求確認メッセージは、第2のネットワーク装置が端末装置に使用を許可する第2のCTUリソースに関する情報を含み、ハンドオーバ指示メッセージは、第2のネットワーク装置が端末装置に使用を許可する第2のCTUリソースに関する情報を含む。
【０１２５】
ステップ420では、第2のネットワーク装置は、第2のネットワーク装置のコンテンション方式アクセス領域の負荷状況または第2のネットワーク装置の負荷状況のうちの少なくとも1つに従って、第2のネットワーク装置に端末装置をハンドオーバするように判定する。
【０１２６】
例えば、ハンドオーバ要求メッセージを受信した後、第2ネットワーク装置は、第2ネットワーク装置の負荷状況または第2ネットワーク装置のコンテンション方式アクセス領域の負荷状況に従って、端末装置が第2のネットワーク装置にアクセスすることを許可されるコンテンション方式アクセス領域（例えば、比較的低負荷のコンテンション方式アクセス領域）を判定し、判定したコンテンション方式アクセス領域をハンドオーバ要求確認メッセージに追加する。次いで、第1のネットワーク装置は、ハンドオーバ指示メッセージにおいて、端末装置に対してコンテンション方式アクセス領域を示す。第2のネットワーク装置が過度に高負荷である場合、第2のネットワーク装置は、端末装置による第2のネットワーク装置へのアクセスを拒否することもできる。
【０１２７】
本発明の本実施形態によれば、CTUリソースに関する情報は、時間−周波数リソース、コードリソース、もしくはパイロットのうちの少なくとも1つに関する情報、CTU情報、またはコンテンション方式アクセス領域に関する情報を含む。
【０１２８】
図5は、本発明のさらに別の実施形態による、グラントフリー伝送方法の概略的な流れ図である。図5の方法は、図1の端末装置によって実行される。図5の方法は、図3の方法に対応するものであり、ここでは適宜詳細を省略する。
【０１２９】
510：端末装置は、第1のネットワーク装置が送信したハンドオーバ指示メッセージを受信し、ハンドオーバ指示メッセージは、グラントフリー伝送を行うために、端末装置を第1のネットワーク装置から第2のネットワーク装置にハンドオーバするように指示するために使用される。
【０１３０】
520：端末装置は、ハンドオーバ指示メッセージに従って、グラントフリー伝送モードでCTUリソース上で第2のネットワーク装置に信号を送信する。
【０１３１】
本発明の本実施形態によれば、第1のネットワーク装置が送信したハンドオーバ指示を受信した後、第1のネットワーク装置とグラントフリー伝送を行う端末装置は、グラントフリー伝送モードでCTU上で第2のネットワーク装置に信号を送信する。このようにして、端末装置は、グラントフリー伝送を行うために、ネットワーク装置から別のネットワーク装置にハンドオーバされる。
【０１３２】
本発明の本実施形態によれば、端末装置は、ハンドオーバ前に第1のCTUリソースを用いてグラントフリー伝送を行い、ハンドオーバ指示メッセージは、第2のネットワーク装置が端末装置に使用を許可する第2のCTUリソースに関する情報を含み、その結果、端末装置は、グラントフリー伝送モードで第2のCTUリソース上で信号を送信する。
【０１３３】
本発明の本実施形態によれば、第2のネットワーク装置が、端末装置に第1のCTUリソースを使用してグラントフリー伝送を行うことを許可する場合、第2のCTUリソースは、第1のCTUリソースと同じである、または第2のネットワーク装置が、端末装置に第1のCTUリソースを使用してグラントフリー伝送を行うことを許可しない場合、第2のCTUリソースは、第1のCTUリソースと異なる。
【０１３４】
本発明の本実施形態では、ステップ520において、端末装置は、ハンドオーバ指示メッセージで運ばれる第2のCTUリソースに関する情報に従って、端末装置を第2のネットワーク装置にハンドオーバした後に行われるグラントフリー伝送で使用されるCTUを判定し、端末装置は、グラントフリー伝送モードでCTU上で信号を送信する。
【０１３５】
本発明の本実施形態によれば、第2のCTUリソースはコンテンション方式アクセス領域である。端末装置を第2のネットワーク装置にハンドオーバした後に行われるグラントフリー伝送で使用されるCTUを端末装置が判定した場合、端末装置は、ハンドオーバ指示メッセージで運ばれるコンテンション方式アクセス領域に関する情報に従って、コンテンション方式アクセス領域内のCTUの数を判定し、次の式、すなわち、
IndxCTU＝Sigi mod NCTU
に従ってCTUを判定し、ここで、IndxCTUはCTUのインデックス番号であり、modはモジュロ演算を表し、NCTUはコンテンション方式アクセス領域内のCTUの数を表し、Sigiは端末装置のコードリソースのインデックスを表す。
【０１３６】
本発明の本実施形態によれば、CTUリソースに関する情報は、時間−周波数リソース、コードリソース、もしくはパイロットのうちの少なくとも1つに関する情報、CTU情報、またはコンテンション方式アクセス領域に関する情報を含む。
【０１３７】
以下、具体例を参照しながら、本発明の本実施形態をより詳細に説明する。本実施形態では、ネットワーク装置として基地局を用いる例を用いて説明する。
【０１３８】
本発明の本実施形態によれば、グラントフリー伝送シナリオにおいて、UEが基地局のカバレッジエリアに入ると、UEは、基地局によって送信された上位層シグナリングを受信できる。上位層シグナリングは、CTUアクセス領域定義（CTU access region definition）、CTUの総数、デフォルトマッピング規則などを運ぶことができる。あるいは、デフォルトマッピング規則は、UE上に予め構成されてもよい。UEは、CTU上でグラントフリー伝送を行うために、CTUアクセス領域内の複数のCTUから適切なCTUを判定できる。異なるUEが同じCTU上でグラントフリー伝送を行う場合、すなわち同じCTUに対して競合する場合、競合（collision）が発生する。UEは、基地局の指示に従って、競合が存在するかどうかを判定してもよい。例えば、競合による問題は、非同期ハイブリッド自動再送要求（Hybrid Automatic Repeat reQuest、HARQ）法を使用することによって解決することができる。競合の数が予め設定された閾値を上回る場合、UEは、基地局にCTUの再マッピングを要求することができる。基地局は、再マッピングされたCTUに関する情報をUEに送信し、その結果、UEは、再マッピングされたCTU上でグラントフリー伝送を行う。しかしながら、一部のシナリオでは、例えば、UEが現在アクセスしている基地局（移動元基地局）の負荷が過度に大きい、もしくはチャネル品質が比較的劣悪である場合、またはUEが基地局のカバレッジエリアに別の基地局のカバレッジエリアから入る場合、UEは、グラントフリー伝送を行うために、移動元基地局から別の基地局（移動先基地局）にハンドオーバされる必要がある。
【０１３９】
以下、図6および図7の実施形態を参照して、グラントフリー伝送のためのハンドオーバプロセスを詳細に説明する。
【０１４０】
図6は、本発明の別の実施形態による、グラントフリー伝送のためのハンドオーバプロセスの概略的な流れ図である。図6のプロセスは、図3、図4、および図5の方法の一例である。ここではいくつかの詳細は適宜省略される。
【０１４１】
610：移動元基地局は、ハンドオーバ決定を行って、UEを移動先基地局にハンドオーバするかどうかを判定する。
【０１４２】
移動元基地局は、UEによって報告された測定報告（Measurement Report）情報（例えば、チャネル品質情報）に従って、および／または移動元基地局の負荷情報（例えば、移動元基地局が過度に高負荷である）に従って、UEを移動先基地局にハンドオーバさせると判定する。
【０１４３】
具体的には、移動元基地局は、異なるタイプの測定タスクをUEに配信することができ、例えば、時分割同期符号分割多元接続（Time Division−Synchronous Code Division Multiple Access、TD−SCDMA）シナリオにおいて測定制御（Measurement Control）メッセージを使用して、測定構成を配信することができる、またはLTEシナリオでRRC接続再構成メッセージを使用して、測定構成を配信することができる。測定構成を受信した後、UEは、測定を行い、測定結果が報告条件を満たした後、対応する測定報告を移動元基地局に送信する。移動元基地局は、端末によって報告された測定報告に従って、ハンドオーバを行うかどうかを判定する。例えば、移動元基地局が、測定報告のチャネル品質情報に従って、移動先基地局とUEとの間のチャネルの品質が、移動元基地局とUEとの間のチャネルの品質よりも良好であると判定した場合、移動元基地局は、UEを移動先基地局にハンドオーバすると判定する。本発明の本実施形態はこれに限定されない。ハンドオーバ決定は、測定報告の他の情報に従って行うこともできる。例えば、移動元基地局が過度に高負荷である場合、移動元基地局は、UEを移動先基地局にハンドオーバすると判定する。
【０１４４】
620：移動元基地局は、移動先基地局にハンドオーバ要求（Handover Request）メッセージを送信して、移動先基地局にUEをハンドオーバすることを要求し、ハンドオーバ要求メッセージは、CTUおよび／またはコードリソースに関する情報を運ぶ。
【０１４５】
例えば、移動元基地局がUEを移動先基地局にハンドオーバすると判定した場合、移動元基地局は、ハンドオーバ要求メッセージに、UEによるグラントフリー伝送のために、選択されたCTUおよび／またはコードリソースを追加することができる。CTUは、グラントフリー伝送のための基本リソースであり、限定されるものではないが、時間リソース、周波数リソース、コードリソース、およびパイロットの組み合わせを含む。グラントフリー伝送を行う場合、UEは送信データをCTUにマッピングして、グラントフリー伝送を行う。UEによって使用されるコードリソースは、グラントフリー伝送のためにネットワーク側によってUEに割り当てられた、CDMAコード、SCMAコード、LDS、別のシグネチャなどである。
【０１４６】
移動元基地局は、ハンドオーバ要求メッセージを使用して、UEがグラントフリー伝送モード送信を使用するかサポートするかを明示的に示すことができる。例えば、移動元基地局が移動先基地局にUEをハンドオーバすると判定した場合、移動元基地局は、移動先基地局にハンドオーバ要求メッセージを送信し、ハンドオーバ要求メッセージにおいて、UEがグラントフリー伝送を行っているかどうかを示すことができる。例えば、UEがグラントフリー伝送を使用しているかサポートしているかは、情報要素（Information Element、IE）、例えばグラントフリー伝送能力（Capability of Grant Free）を用いて示すことができる。例えば、グラントフリー伝送能力の値が1である場合、UEがグラントフリー伝送を使用することを示す。本発明の本実施形態はこれに限定されない。あるいは、グラントフリー伝送能力の値が0であることは、UEがグラントフリー伝送を使用することを示してもよいし、情報要素内のグラントフリー伝送能力の場所に値がある場合、UEは、グラントフリー伝送を使用することを示してもよい。
【０１４７】
あるいは、移動先基地局は、ハンドオーバ要求メッセージが、UEによってグラントフリー伝送のために選択されたCTUおよび／またはUEによって使用されるコードリソースを運んでいるかどうかに従って、UEがグラントフリー伝送モード送信を使用するかどうかを判定できる。
【０１４８】
例えば、表1に示すように、移動元基地局から移動先基地局に送信されるハンドオーバ要求メッセージには、以下の情報要素（IE：Information Element）が追加されてもよい。
【０１４９】
【表１】
0006522803.tif 000002
【０１５０】
630：移動先基地局は、移動元基地局のハンドオーバ要求メッセージを受信した後、アクセス制御を行う。
【０１５１】
移動先基地局は、移動元基地局のハンドオーバ要求メッセージを受信した後、移動先基地局の負荷状況に従って、例えば、コンテンション方式アクセス領域（Contention Access Region、CAR）の負荷状況、ならびに／または移動先基地局とUEが元々使用しているCTUおよび／もしくはコードリソースとの全体の負荷状況に従って、UEが移動先基地局にアクセスできるかどうかと、UEが特定のコンテンション方式アクセス領域をしようできるかどうかと、を判定することができる。グラントフリー伝送を行う場合、UEは送信データを特定のコンテンション方式アクセス領域にある特定のCTUにマッピングして、グラントフリー伝送を行う。
【０１５２】
例えば、移動先基地局は、移動先基地局の全体の負荷状況に従って、UEが移動先基地局にアクセスできるかどうかを判定することができる。移動先基地局の全体的な負荷が過度に大きい場合（例えば、予め設定された閾値より大きい場合）、移動先基地局は、移動先基地局へのアクセスをUEに禁止する。そうでなければ、移動先基地局は、UEが移動先基地局にアクセスすることを許可する。グラントフリー伝送モードでは、各移動先基地局のリソースは複数のコンテンション方式アクセス領域に分割され、各コンテンション方式アクセス領域は1つ以上のCTUを含むことができる。CTUは、グラントフリー伝送のための基本リソースであり、限定されるものではないが、時間リソース、周波数リソース、コードリソース、およびパイロットの組み合わせを含む。さらに、UEが元々使用しているCTUに対応する移動先基地局のコンテンション方式アクセス領域が比較的高負荷である場合、比較的低負荷の新しいコンテンション方式アクセス領域のCTUおよび／またはコードリソースが選択される。そうでなければ、元のCTUおよび／またはコードリソースが使用される。
【０１５３】
640：移動先基地局は、グラントフリー伝送を行うために、移動元基地局にハンドオーバ要求確認（Handover Request Acknowledgement）メッセージを送信して、移動元基地局から移動先基地局にUEをハンドオーバすることを確認し、ハンドオーバ要求確認メッセージは、CTUおよび／またはコードリソースに関する情報を運ぶ。
【０１５４】
移動先基地局が、UEに元のCTUおよび／またはコードリソースを使用して移動先基地局にアクセスすることを許可する場合、移動先基地局は、ステップ640において、ハンドオーバ要求確認メッセージ内で、元のCTUおよび／またはコードリソースを使用して、グラントフリー伝送を行うようにUEに指示する。
【０１５５】
移動先基地局が、UEに元のCTUおよび／またはコードリソースを使用して移動先基地局にアクセスすることを許可しない場合、移動先基地局は、ステップ640において、ハンドオーバ要求確認メッセージ内で、新しいCTUおよび／またはコードリソースをUEに示す。
【０１５６】
例えば、表2に示すように、移動先基地局から移動元基地局に送信されるハンドオーバ要求確認メッセージには、以下の情報要素が追加されてもよい。
【０１５７】
【表２】
0006522803.tif 000003
【０１５８】
650：移動元基地局は、UEにハンドオーバ指示メッセージを送信して、UEを移動先基地局にハンドオーバすることを指示する、すなわち、グラントフリー伝送モードでCTU上で移動先基地局に信号を送信するようにUEに指示し、ハンドオーバ指示メッセージは、CTUおよび／またはコードリソースに関する情報を運ぶ。
【０１５９】
移動元基地局は、ハンドオーバ指示メッセージに、UEのハンドオーバに必要なパラメータを追加してもよい。例えば、パラメータとしては、移動先基地局のID、移動先電力、ならびにCTUおよび／もしくはコードリソースなどの無線リソースおよび物理リソースの構成が挙げられる。
【０１６０】
ハンドオーバ指示メッセージは、既存のシグナリングを修正または拡張することによって実現されてもよいことを理解されたい。例えば、ハンドオーバ指示メッセージは、RRC接続再構成（RRC CONNECTION RECONFIGURATION）メッセージであってもよい。従来のRRC接続再構成メッセージとの違いは、ハンドオーバ指示メッセージが、周波数チャネル番号に関する情報ではなく、移動先基地局がUEにアクセスに使用することを許可する、CTUに関する情報を運ぶことができる点にある。本発明の本実施形態はこれに限定されない。例えば、基地局は、専用の上位層シグナリングを使用して、UEを移動先基地局にハンドオーバするよう指示することができる。
【０１６１】
660：UEは、CTU上で移動先基地局とのグラントフリー伝送を行う。
【０１６２】
UEは、ハンドオーバ指示メッセージに従って、移動先基地局によって許可されたCTUを判定し、移動元基地局から切断し、移動先基地局によって許可されたCTUに送信データをマッピングして、グラントフリー伝送を行う。グラントフリー伝送の具体的な説明については、図2の実施形態を参照されたく、ここでの細部を繰り返し説明しない。
【０１６３】
本実施形態の利点は以下の通りである：移動先基地局は、移動元基地局が送信したハンドオーバ要求メッセージに従って、UEによって使用されるCTUおよび／またはコードリソースを知ることから、移動先基地局は、CTUおよび／またはコードリソースに関する情報に従って、グラントフリー伝送でUEが送信したデータを迅速に復調し、ブラインド検出の範囲を縮小する。従って、ブラインド検出の回数が減少し、ハンドオーバプロセスのシグナリングオーバーヘッドが低減される。加えて、UEがハンドオーバプロセスにおいて元のCTUおよび／またはコードリソースを引き続き使用する場合、ソフトハンドオーバを実施することができる。
【０１６４】
図7は、本発明の別の実施形態による、グラントフリー伝送のためのハンドオーバプロセスの概略的な流れ図である。図7のプロセスは、図3、図4、および図5の方法の一例である。ここではいくつかの詳細は適宜省略される。
【０１６５】
710：移動元基地局は、UEを移動先基地局にハンドオーバすると判定する。
【０１６６】
移動元基地局は、UEによって報告された測定報告（Measurement Report）情報（例えば、チャネル品質情報）に従って、および／または移動元基地局の負荷情報（例えば、移動元基地局が過度に高負荷である）に従って、UEを移動先基地局にハンドオーバさせると判定する。ステップ710はステップ610と同様であり、ここでは細部を繰り返し説明しない。
【０１６７】
720：移動元基地局は、移動先基地局にハンドオーバ要求（Handover Request）メッセージを送信して、移動先基地局にUEをハンドオーバすることを要求し、ハンドオーバ要求メッセージは、グラントフリー伝送能力に関する情報を運ぶ。
【０１６８】
例えば、移動元基地局が移動先基地局にUEをハンドオーバすると判定した場合、移動元基地局は、移動先基地局にハンドオーバ要求メッセージを送信し、ハンドオーバ要求メッセージにおいて、UEがグラントフリー伝送を使用することを示すことができる。例えば、UEがグラントフリー伝送を使用していることは、情報要素（Information Element、IE）またはグラントフリー伝送能力（Capability of Grant Free）を用いて示すことができる。グラントフリー伝送能力の値が1である場合、UEがグラントフリー伝送を使用することを示す。本発明の本実施形態はこれに限定されない。あるいは、グラントフリー伝送能力の値が0であることは、UEがグラントフリー伝送を使用することを示してもよいし、情報要素内のグラントフリー伝送能力の場所に値がある場合、UEは、グラントフリー伝送を使用することを示してもよい。
【０１６９】
例えば、表3に示すように、移動元基地局から移動先基地局に送信されるハンドオーバ要求メッセージには、以下の情報要素（IE：Information Element）が追加されてもよい。
【０１７０】
【表３】
0006522803.tif 000004
【０１７１】
730：移動先基地局は、移動元基地局のハンドオーバ要求メッセージを受信した後、アクセス制御を行う。
【０１７２】
移動先基地局が、ハンドオーバ要求メッセージに従って、UEがグラントフリー伝送モード送信を使用すると判断した場合、移動先基地局の負荷状況に従って、例えば、コンテンション方式アクセス領域（Contention Access Region、CAR）の負荷状況、ならびに／または移動先基地局の全体の負荷状況に従って、UEが移動先基地局にアクセスできるかどうかと、UEが特定のコンテンション方式アクセス領域をしようできるかどうかと、を判定することができる。
【０１７３】
グラントフリー伝送モードでは、各移動先基地局のリソースは複数のコンテンション方式アクセス領域に分割され、各コンテンション方式アクセス領域は1つ以上のCTUを含むことができる。CTUは、グラントフリー伝送のための基本リソースであり、限定されるものではないが、時間リソース、周波数リソース、コードリソース、およびパイロットの組み合わせを含む。グラントフリー伝送を行う場合、UEは送信データを特定のコンテンション方式アクセス領域にある特定のCTUにマッピングして、グラントフリー伝送を行う。
【０１７４】
例えば、移動先基地局は、移動先基地局の全体の負荷状況に従って、UEが移動先基地局にアクセスできるかどうかを判定することができる。移動先基地局の全体的な負荷が過度に大きい場合（例えば、予め設定された閾値より大きい場合）、移動先基地局は、移動先基地局へのアクセスをUEに禁止する。そうでなければ、移動先基地局は、UEが移動先基地局にアクセスすることを許可する。UEによるアクセスを許可することを判定した後、移動先基地局は、移動先基地局のコンテンション方式アクセス領域の負荷に従って、CTUがUEの使用を許可されるコンテンション方式アクセス領域をさらに判定することができる。例えば、コンテンション方式アクセス領域の負荷が予め設定された閾値未満である場合、移動先基地局は、UEにコンテンション方式アクセス領域でCTUを使用することを許可する。移動先基地局が、コンテンション方式アクセス領域の負荷状況および／または移動先基地局の全体の負荷状況に従って、UEが移動先基地局にアクセスできると判定した場合、移動先基地局は、比較的低負荷のコンテンション方式アクセス領域を選択し、ステップ740において、コンテンション方式アクセス領域で移動先基地局にアクセスするようにUEに指示する。
【０１７５】
740：移動先基地局は、移動元基地局にハンドオーバ要求確認（Handover Request Acknowledgement）メッセージを送信して、移動元基地局から移動先基地局にUEをハンドオーバすることを確認し、グラントフリー伝送を行う、つまり、移動先基地局がグラントフリー伝送に使用されるリソースを準備したことを移動元基地局に通知し、ハンドオーバ要求確認メッセージは、コンテンション方式アクセス領域に関する情報を運ぶ。
【０１７６】
移動先基地局がUEに移動先基地局にアクセスすることを許可する場合、移動先基地局は、移動元基地局にハンドオーバ要求確認メッセージを送信し、UEがアクセス可能なコンテンション方式アクセス領域をハンドオーバ要求確認メッセージで示す。例えば、移動先基地局は、ハンドオーバ要求確認メッセージに、コンテンション方式アクセス領域に関する情報（例えば、識別子またはインデックス）を追加することができる。しかしながら、本発明の実施形態はこれに限定されない。例えば、代替的に、移動先基地局は、2つの通信者間で合意された方式で、移動元基地局に暗黙的にコンテンション方式アクセス領域に関する情報を通知することができる。
【０１７７】
移動先基地局がUEに移動先基地局にアクセスすることを禁止する場合、移動先基地局は、移動先基地局へのUEによるアクセスが拒否されたという情報をハンドオーバ要求確認メッセージに追加することができる。このようにして、ハンドオーバ要求確認メッセージを受信した後、移動元基地局は、移動先基地局がUEに移動先基地局へアクセスすることを禁止していると判定し、従って、このハンドオーバプロセスを終了する。
【０１７８】
あるいは、移動先基地局がUEに移動先基地局にアクセスすることを禁止する場合、移動先基地局は、移動元基地局のハンドオーバ要求に対してなんら応答しなくてもよい。このケースでは、移動元基地局は、予め設定された時間が経過した後もハンドオーバ要求確認メッセージを依然として受信していない。従って、移動元基地局は、移動先基地局がUEに移動先基地局へアクセスすることを禁止していると判定して、このハンドオーバプロセスを終了する。
【０１７９】
例えば、表4に示すように、移動先基地局から移動元基地局に送信されるハンドオーバ要求確認メッセージには、以下の情報要素（IE：Information Element）が追加される。
【０１８０】
【表４】
0006522803.tif 000005
【０１８１】
750：移動元基地局は、UEにハンドオーバ指示メッセージを送信して、UEを移動先基地局にハンドオーバすることを指示する、すなわち、グラントフリー伝送モードでCTU上で移動先基地局に信号を送信するようにUEに指示し、ハンドオーバ指示メッセージは、コンテンション方式アクセス領域に関する情報を運ぶ。
【０１８２】
移動元基地局は、ハンドオーバ指示メッセージに、UEのハンドオーバに必要なパラメータを追加してもよい。例えば、パラメータとしては、移動先基地局のID、移動先電力、ならびにコンテンション方式アクセス領域などの無線リソースおよび物理リソースの構成が挙げられる。
【０１８３】
ハンドオーバ指示メッセージは、既存のシグナリングを修正または拡張することによって実現されてもよいことを理解されたい。例えば、ハンドオーバ指示メッセージは、RRC接続再構成（RRC CONNECTION RECONFIGURATION）メッセージであってもよい。従来のRRC接続再構成メッセージとの違いは、ハンドオーバ指示メッセージが、周波数チャネル番号に関する情報ではなく、アクセス可能なコンテンション方式アクセス領域（Contention Access Region， CAR）に関する情報を運ぶことができる点にある。RRC接続再構成メッセージを修正または拡張することにより、シグナリングオーバーヘッドを減らすことができる。本発明の本実施形態はこれに限定されない。例えば、基地局は、専用の上位層シグナリングを使用して、UEを移動先基地局にハンドオーバするよう指示することができる。
【０１８４】
755：UEは、グラントフリー伝送に使用されるCTUを判定する。
【０１８５】
例えば、ハンドオーバ指示メッセージを受信した後、UEは、ハンドオーバ指示メッセージに従って、移動先基地局がUEに移動先基地局へアクセスすることを許可すると判定し、ハンドオーバ指示メッセージで運ばれるコンテンション方式アクセス領域に従って、グラントフリー伝送に使用されるCTUを判定する。
【０１８６】
以下、例を用いて、グラントフリー伝送に使用されるCTUを判定する方法を説明する。CTUは、デフォルトマッピング規則に従って判定されてもよい。例えば、UEは、CTUのインデックス番号IndxCTUに従って、グラントフリー伝送に使用されるCTUを判定することができる。UEは、次の式、すなわち、
IndxCTU＝Sigi mod NCTU、
に従って、CTUのインデックス番号IndxCTUを判定することができ、ここで、「mod」はモジュロ演算を表し、NCTUはコンテンション方式アクセス領域内のCTUの数であり、Sigiはグラントフリー伝送のためにUEによって使用されるコードリソースまたはシグネチャシーケンスのインデックスである。例えば、Sigiは、具体的には、UEに割り当てられた専用接続シグネチャ（dedicated connection signature， DCS）のインデックスであってもよい。
【０１８７】
グラントフリー伝送に使用されるCTUは、別の方法を使用して判定されてもよいことを理解されたい。例えば、適切なCTUを、利用可能なCTUからランダムに選択することができる。
【０１８８】
760：UEは、CTU上で移動先基地局とのグラントフリー伝送を行う。
【０１８９】
CTUを選択した後、UEは移動元基地局から切断され、選択されたCTUに送信データをマッピングして、グラントフリー伝送を行うことができる。グラントフリー伝送の具体的な説明については、図2の実施形態を参照されたく、ここでの細部を繰り返し説明しない。
【０１９０】
本実施形態の利点は以下の通りである：UEは、移動先基地局によって示されるコンテンション方式アクセス領域に従って、CTUを柔軟に選択することができる。加えて、移動先基地局は、移動先基地局の負荷状況に従って、UEがアクセスするための、比較的低負荷のコンテンション方式アクセス領域を選択できることから、または全体の負荷状況に従って、UEによるアクセスを許可するかどうかを判定することから、移動先基地局は、負荷分散を実施することができる。また、移動先基地局が許可するコンテンション方式アクセス領域に従って、UEが適切なCTUを選択できることから、グラントフリー伝送を行うUE同士の競合の確率が低減される。
【０１９１】
以上、本発明の実施形態によるハンドオーバ方法について説明した。以下、図8〜図13を参照して、本発明の実施形態によるネットワーク装置および端末装置について別々に説明する。
【０１９２】
図8は、本発明の一実施形態によるネットワーク装置800の概略的な構造図である。ネットワーク装置800は、送信モジュール810と受信モジュール820とを備える。
【０１９３】
送信モジュール810は、第2のネットワーク装置にハンドオーバ要求メッセージを送信するように構成される。ハンドオーバ要求メッセージは、グラントフリー伝送を行うために、端末装置をネットワーク装置から第2のネットワーク装置へハンドオーバすることを要求するために使用される。受信モジュール820は、第2のネットワーク装置が送信したハンドオーバ要求確認メッセージを受信するようにさらに構成される。ハンドオーバ要求確認メッセージは、グラントフリー伝送を行うために、端末装置をネットワーク装置から第2のネットワーク装置へハンドオーバすることを確認するために使用される。送信モジュール810は、端末装置にハンドオーバ指示メッセージを送信するようにさらに構成される。ハンドオーバ指示メッセージは、グラントフリー伝送モードでコンテンション方式送信ユニットCTUリソース上での第2のネットワーク装置に信号を送信するように端末装置に指示するために使用される。
【０１９４】
本発明の本実施形態によれば、第1のネットワーク装置は、グラントフリー伝送を行うために、第2のネットワーク装置に対して、第1のネットワーク装置から第2のネットワーク装置に端末装置をハンドオーバすることを要求し、第2のネットワーク装置がハンドオーバを許可した後、グラントフリー伝送モードでCTU上で第2のネットワーク装置に信号を送信するように端末装置に指示する。このようにして、端末装置は、グラントフリー伝送を行うために、ネットワーク装置から別のネットワーク装置にハンドオーバされる。
【０１９５】
本発明の本実施形態によれば、ハンドオーバ要求確認メッセージは、第2のネットワーク装置が端末装置に使用を許可する第2のCTUリソースに関する情報を含み、ハンドオーバ指示メッセージは、第2のCTUリソースに関する情報を含み、その結果、端末装置は、グラントフリー伝送モードで第2のCTUリソース上で信号を送信する。
【０１９６】
本発明の本実施形態によれば、ハンドオーバ要求メッセージは、ハンドオーバ前に、グラントフリー伝送のために端末装置によって使用される第1のCTUリソースに関する情報を含む。
【０１９７】
本発明の本実施形態によれば、第2のネットワーク装置が、端末装置に第1のCTUリソースを使用してグラントフリー伝送を行うことを許可する場合、第2のCTUリソースは、第1のCTUリソースと同じである、または第2のネットワーク装置が、端末装置に第1のCTUリソースを使用してグラントフリー伝送を行うことを許可しない場合、第2のCTUリソースは、第1のCTUリソースと異なる。
【０１９８】
本発明の本実施形態によれば、ハンドオーバ要求メッセージは、端末装置がグラントフリー伝送をサポートしていることを示すために使用される情報を含み、ハンドオーバ要求確認メッセージは、第2のネットワーク装置が端末装置に使用を許可する第2のCTUリソースに関する情報を含み、ハンドオーバ指示メッセージは、第2のネットワーク装置が端末装置に使用を許可する第2のCTUリソースに関する情報を含み、その結果、端末装置は、グラントフリー伝送モードで第2のCTUリソース上で信号を送信する。
【０１９９】
本発明の本実施形態によれば、CTUリソースに関する情報は、時間−周波数リソース、コードリソース、もしくはパイロットのうちの少なくとも1つに関する情報、CTU情報、またはコンテンション方式アクセス領域に関する情報を含む。
【０２００】
場合により、別の実施形態では、ネットワーク装置800は、ネットワーク装置800が第2のネットワーク装置にハンドオーバ要求メッセージを送信する前に、端末装置の測定報告情報またはネットワーク装置の負荷情報のうちの少なくとも1つに従って、端末装置を第2のネットワーク装置にハンドオーバする必要があると判定するように構成された判定モジュール830をさらに備える。
【０２０１】
ネットワーク装置800のモジュールの動作および機能については、図3の方法を参照されたい。繰り返しを避けるため、ここでは細部を繰り返し説明しない。
【０２０２】
図9は、本発明の別の実施形態によるネットワーク装置900の概略的な構造図である。ネットワーク装置900は、受信モジュール910と、判定モジュール920と、送信モジュール930と、検出モジュール940と、を備える。
【０２０３】
受信モジュール910は、第1のネットワーク装置が送信したハンドオーバ要求メッセージを受信するように構成される。ハンドオーバ要求メッセージは、グラントフリー伝送を行うために、端末装置を第1のネットワーク装置からネットワーク装置へハンドオーバすることを要求するために使用される。
【０２０４】
判定モジュール920は、グラントフリー伝送を行うために、第1のネットワーク装置からネットワーク装置に端末装置をハンドオーバすることを判定するように構成される。
【０２０５】
送信モジュール930は、ハンドオーバ要求確認メッセージを第1のネットワーク装置に送信するようにさらに構成される。ハンドオーバ要求確認メッセージは、グラントフリー伝送を行うために、端末装置を第1のネットワーク装置からネットワーク装置へハンドオーバすることを確認するために使用される。
【０２０６】
検出モジュール940は、グラントフリー伝送モードでCTUリソース上で端末装置が送信した信号に対するブラインド検出を行うようにさらに構成される。
【０２０７】
本発明の本実施形態によれば、第2のネットワーク装置は、第1のネットワーク装置が送信したハンドオーバ要求を受信し、ハンドオーバを許可すると判定した後、第1のネットワーク装置を用いて、グラントフリー伝送モードでCTU上で第2のネットワーク装置に信号を送信するように端末装置に指示する。このようにして、端末装置は、グラントフリー伝送を行うために、ネットワーク装置から別のネットワーク装置にハンドオーバされる。
【０２０８】
本発明の本実施形態によれば、ハンドオーバ要求確認メッセージは、コンテンション方式アクセス領域またはネットワーク装置が端末装置に使用を許可する第2のCTUリソースに関する情報を含み、ハンドオーバ指示メッセージは、コンテンション方式アクセス領域またはCTUリソースに関する情報を含み、その結果、端末装置は、第2のコンテンション方式アクセス領域または第2のCTUリソースに関する情報に従って、グラントフリー伝送モードで信号を送信する。
【０２０９】
本発明の本実施形態によれば、ハンドオーバ要求メッセージは、ハンドオーバ前に、グラントフリー伝送のために端末装置によって使用される第1のCTUリソースに関する情報を含み、検出モジュール940は、第2のCTUリソースに基づいて、グラントフリー伝送モードで第2のCTUリソース上で、端末装置が送信した信号のブラインド検出を行う。
【０２１０】
本発明の本実施形態によれば、ネットワーク装置が、端末装置に第1のCTUリソースを使用してグラントフリー伝送を行うことを許可する場合、第2のCTUリソースは、第1のCTUリソースと同じである、またはネットワーク装置が、端末装置が第1のCTUリソースを使用してグラントフリー伝送を行うことを許可しない場合、第2のCTUリソースは、第1のCTUリソースと異なる。
【０２１１】
本発明の本実施形態によれば、判定モジュール920は、ネットワーク装置のコンテンション方式アクセス領域の負荷状況、ネットワーク装置の負荷状況、または第1のCTUリソースのうちの少なくとも1つに従って、ネットワーク装置に端末装置をハンドオーバするように判定する。
【０２１２】
本発明の本実施形態によれば、ハンドオーバ要求メッセージは、端末装置がグラントフリー伝送をサポートしていることを示すために使用される情報を含み、ハンドオーバ要求確認メッセージは、ネットワーク装置が端末装置に使用を許可する第2のCTUリソースに関する情報を含み、ハンドオーバ指示メッセージは、ネットワーク装置が端末装置に使用を許可する第2のCTUリソースに関する情報を含む。
【０２１３】
本発明の本実施形態によれば、判定モジュール920は、ネットワーク装置のコンテンション方式アクセス領域の負荷状況またはネットワーク装置の負荷状況のうちの少なくとも1つに従って、ネットワーク装置に端末装置をハンドオーバするように判定する。
【０２１４】
本発明の本実施形態によれば、CTUリソースに関する情報は、時間−周波数リソース、コードリソース、もしくはパイロットのうちの少なくとも1つに関する情報、CTU情報、またはコンテンション方式アクセス領域に関する情報を含む。
【０２１５】
ネットワーク装置900のモジュールの動作および機能については、図4の方法を参照されたい。繰り返しを避けるため、ここでは細部を繰り返し説明しない。
【０２１６】
図10は、本発明の別の実施形態による端末装置1000の概略的な構造図である。端末装置1000は、受信モジュール1010と送信モジュール1020とを備える。
【０２１７】
受信モジュール1010は、第1のネットワーク装置が送信したハンドオーバ指示メッセージを受信するように構成される。ハンドオーバ指示メッセージは、グラントフリー伝送を行うために、端末装置を第1のネットワーク装置から第2のネットワーク装置にハンドオーバするよう指示するために使用される。送信モジュール1020は、ハンドオーバ指示メッセージに従って、グラントフリー伝送モードでコンテンション方式送信ユニットCTUリソース上で第2のネットワーク装置に信号を送信するように構成される。
【０２１８】
本発明の本実施形態によれば、第1のネットワーク装置が送信したハンドオーバ指示を受信した後、第1のネットワーク装置とグラントフリー伝送を行う端末装置は、グラントフリー伝送モードでCTU上で第2のネットワーク装置に信号を送信する。このようにして、端末装置は、グラントフリー伝送を行うために、ネットワーク装置から別のネットワーク装置にハンドオーバされる。
【０２１９】
本発明の本実施形態によれば、端末装置は、ハンドオーバ前に第1のCTUリソースを用いてグラントフリー伝送を行い、ハンドオーバ指示メッセージは、第2のネットワーク装置が端末装置に使用を許可する第2のCTUリソースに関する情報を含み、その結果、端末装置は、グラントフリー伝送モードで第2のコンテンション方式送信ユニットCTUリソース上で信号を送信する。
【０２２０】
本発明の本実施形態によれば、第2のネットワーク装置が、端末装置に第1のCTUリソースを使用してグラントフリー伝送を行うことを許可する場合、第2のCTUリソースは、第1のCTUリソースと同じである、または第2のネットワーク装置が、端末装置に第1のCTUリソースを使用してグラントフリー伝送を行うことを許可しない場合、第2のCTUリソースは、第1のCTUリソースと異なる。
【０２２１】
場合により、別の実施形態では、端末装置1000は、ハンドオーバ指示メッセージで運ばれる第2のCTUリソースに関する情報に従って、端末装置を第2のネットワーク装置にハンドオーバした後に行われるグラントフリー伝送で使用されるCTUを判定するように構成された判定モジュール1030をさらに備え、送信モジュール1020は、グラントフリー伝送モードでCTU上で信号を送信する。
【０２２２】
本発明の本実施形態によれば、第2のCTUリソースはコンテンション方式アクセス領域であり、判定モジュール1030は、ハンドオーバ指示メッセージで運ばれるコンテンション方式アクセス領域に関する情報に従って、コンテンション方式アクセス領域内のCTUの数を判定する。
【０２２３】
判定モジュール1030は、次の式、すなわち、
IndxCTU＝Sigi mod NCTU
に従ってCTUを判定し、ここで、IndxCTUはCTUのインデックス番号であり、modはモジュロ演算を表し、NCTUはコンテンション方式アクセス領域内のCTUの数を表し、Sigiは端末装置のコードリソースのインデックスを表す。
【０２２４】
本発明の本実施形態によれば、CTUリソースに関する情報は、時間−周波数リソース、コードリソース、もしくはパイロットのうちの少なくとも1つに関する情報、CTU情報、またはコンテンション方式アクセス領域に関する情報を含む。
【０２２５】
端末装置1000のモジュールの動作および機能については、図5の方法を参照されたい。繰り返しを避けるため、ここでは細部を繰り返し説明しない。
【０２２６】
図11は、本発明の一実施形態によるネットワーク装置1100の概略的な構造図である。ネットワーク装置1100は、プロセッサ1110と、送受信機1120と、メモリ1130と、バス1140と、を備える。
【０２２７】
送受信機1120は、第2のネットワーク装置にハンドオーバ要求メッセージを送信するように構成される。ハンドオーバ要求メッセージは、グラントフリー伝送を行うために、端末装置をネットワーク装置から第2のネットワーク装置へハンドオーバすることを要求するために使用される。送受信機1120は、第2のネットワーク装置が送信したハンドオーバ要求確認メッセージを受信するようにさらに構成される。ハンドオーバ要求確認メッセージは、グラントフリー伝送を行うために、端末装置をネットワーク装置から第2のネットワーク装置へハンドオーバすることを確認するために使用される。送受信機1120は、端末装置にハンドオーバ指示メッセージを送信するようにさらに構成される。ハンドオーバ指示メッセージは、グラントフリー伝送モードでコンテンション方式送信ユニットCTUリソース上での第2のネットワーク装置に信号を送信するように端末装置に指示するために使用される。
【０２２８】
本発明の本実施形態によれば、第1のネットワーク装置は、グラントフリー伝送を行うために、第2のネットワーク装置に対して、第1のネットワーク装置から第2のネットワーク装置に端末装置をハンドオーバすることを要求し、第2のネットワーク装置がハンドオーバを許可した後、グラントフリー伝送モードでCTU上で第2のネットワーク装置に信号を送信するように端末装置に指示する。このようにして、端末装置は、グラントフリー伝送を行うために、ネットワーク装置から別のネットワーク装置にハンドオーバされる。
【０２２９】
本発明の本実施形態によれば、ハンドオーバ要求確認メッセージは、第2のネットワーク装置が端末装置に使用を許可する第2のCTUリソースに関する情報を含み、ハンドオーバ指示メッセージは、第2のCTUリソースに関する情報を含み、その結果、端末装置は、グラントフリー伝送モードで第2のCTUリソース上で信号を送信する。
【０２３０】
本発明の本実施形態によれば、ハンドオーバ要求メッセージは、ハンドオーバ前に、グラントフリー伝送のために端末装置によって使用される第1のCTUリソースに関する情報を含む。
【０２３１】
本発明の本実施形態によれば、第2のネットワーク装置が、端末装置に第1のCTUリソースを使用してグラントフリー伝送を行うことを許可する場合、第2のCTUリソースは、第1のCTUリソースと同じである、または第2のネットワーク装置が、端末装置に第1のCTUリソースを使用してグラントフリー伝送を行うことを許可しない場合、第2のCTUリソースは、第1のCTUリソースと異なる。
【０２３２】
本発明の本実施形態によれば、ハンドオーバ要求メッセージは、端末装置がグラントフリー伝送をサポートしていることを示すために使用される情報を含み、ハンドオーバ要求確認メッセージは、第2のネットワーク装置が端末装置に使用を許可する第2のCTUリソースに関する情報を含み、ハンドオーバ指示メッセージは、第2のネットワーク装置が端末装置に使用を許可する第2のCTUリソースに関する情報を含み、その結果、端末装置は、グラントフリー伝送モードで第2のCTUリソース上で信号を送信する。
【０２３３】
本発明の本実施形態によれば、CTUリソースに関する情報は、時間−周波数リソース、コードリソース、もしくはパイロットのうちの少なくとも1つに関する情報、CTU情報、またはコンテンション方式アクセス領域に関する情報を含む。
【０２３４】
場合により、別の実施形態では、プロセッサ1110は、ネットワーク装置が第2のネットワーク装置にハンドオーバ要求メッセージを送信する前に、端末装置の測定報告情報またはネットワーク装置の負荷情報のうちの少なくとも1つに従って、端末装置を第2のネットワーク装置にハンドオーバする必要があると判定するように構成される。
【０２３５】
ネットワーク装置1100の動作および機能については、図3の方法を参照されたい。繰り返しを避けるため、ここでは細部を繰り返し説明しない。
【０２３６】
図12は、本発明の別の実施形態によるネットワーク装置1200の概略的な構造図である。ネットワーク装置1200は、プロセッサ1210と、送受信機1220と、メモリ1230と、バス1240と、を備える。
【０２３７】
送受信機1220は、第1のネットワーク装置が送信したハンドオーバ要求メッセージを受信するように構成される。ハンドオーバ要求メッセージは、グラントフリー伝送を行うために、端末装置を第1のネットワーク装置からネットワーク装置へハンドオーバすることを要求するために使用される。
【０２３８】
プロセッサ1210は、メモリ1230に記憶されたコードを呼び出すように構成されて、グラントフリー伝送を行うために、第1のネットワーク装置からネットワーク装置に端末装置をハンドオーバすることを判定する。
【０２３９】
送受信機1220は、ハンドオーバ要求確認メッセージを第1のネットワーク装置に送信するようにさらに構成される。ハンドオーバ要求確認メッセージは、グラントフリー伝送を行うために、端末装置を第1のネットワーク装置からネットワーク装置へハンドオーバすることを確認するために使用される。
【０２４０】
プロセッサ1210は、グラントフリー伝送モードでCTUリソース上で端末装置が送信した信号に対するブラインド検出を行うようにさらに構成される。
【０２４１】
本発明の本実施形態によれば、第2のネットワーク装置は、第1のネットワーク装置が送信したハンドオーバ要求を受信し、ハンドオーバを許可すると判定した後、第1のネットワーク装置を用いて、グラントフリー伝送モードでCTU上で第2のネットワーク装置に信号を送信するように端末装置に指示する。このようにして、端末装置は、グラントフリー伝送を行うために、ネットワーク装置から別のネットワーク装置にハンドオーバされる。
【０２４２】
本発明の本実施形態によれば、ハンドオーバ要求確認メッセージは、コンテンション方式アクセス領域またはネットワーク装置が端末装置に使用を許可する第2のCTUリソースに関する情報を含み、ハンドオーバ指示メッセージは、コンテンション方式アクセス領域または第2のCTUリソースに関する情報を含み、その結果、端末装置は、コンテンション方式アクセス領域または第2のCTUリソースに関する情報に従って、グラントフリー伝送モードで信号を送信する。
【０２４３】
本発明の本実施形態によれば、ハンドオーバ要求メッセージは、ハンドオーバ前に、グラントフリー伝送のために端末装置によって使用される第1のCTUリソースに関する情報を含み、プロセッサ1210は、第2のCTUリソースに基づいて、グラントフリー伝送で第2のCTUリソース上で、端末装置が送信した信号のブラインド検出を行う。
【０２４４】
本発明の本実施形態によれば、ネットワーク装置が、端末装置に第1のCTUリソースを使用してグラントフリー伝送を行うことを許可する場合、第2のCTUリソースは、第1のCTUリソースと同じである、またはネットワーク装置が、端末装置が第1のCTUリソースを使用してグラントフリー伝送を行うことを許可しない場合、第2のCTUリソースは、第1のCTUリソースと異なる。
【０２４５】
本発明の本実施形態によれば、プロセッサ1210は、ネットワーク装置のコンテンション方式アクセス領域の負荷状況、ネットワーク装置の負荷状況、または第1のCTUリソースのうちの少なくとも1つに従って、ネットワーク装置に端末装置をハンドオーバするように判定する。
【０２４６】
本発明の本実施形態によれば、ハンドオーバ要求メッセージは、端末装置がグラントフリー伝送をサポートしていることを示すために使用される情報を含み、ハンドオーバ要求確認メッセージは、ネットワーク装置が端末装置に使用を許可する第2のCTUリソースに関する情報を含み、ハンドオーバ指示メッセージは、ネットワーク装置が端末装置に使用を許可する第2のCTUリソースに関する情報を含む。
【０２４７】
本発明の本実施形態によれば、プロセッサ1210は、ネットワーク装置のコンテンション方式アクセス領域の負荷状況またはネットワーク装置の負荷状況のうちの少なくとも1つに従って、ネットワーク装置に端末装置をハンドオーバするように判定する。
【０２４８】
本発明の本実施形態によれば、CTUリソースに関する情報は、時間−周波数リソース、コードリソース、もしくはパイロットのうちの少なくとも1つに関する情報、CTU情報、またはコンテンション方式アクセス領域に関する情報を含む。
【０２４９】
ネットワーク装置1200の動作および機能については、図4の方法を参照されたい。繰り返しを避けるため、ここでは細部を繰り返し説明しない。
【０２５０】
図13は、本発明の別の実施形態による端末装置1300の概略的な構造図である。端末装置1300は、プロセッサ1310と、送受信機1320と、メモリ1330と、バス1340と、を備える。
【０２５１】
送受信機1320は、第1のネットワーク装置が送信したハンドオーバ指示メッセージを受信するように構成される。ハンドオーバ指示メッセージは、グラントフリー伝送を行うために、端末装置を第1のネットワーク装置から第2のネットワーク装置にハンドオーバするよう指示するために使用される。送受信機1320は、ハンドオーバ指示メッセージに従って、グラントフリー伝送モードでコンテンション方式送信ユニットCTUリソース上で第2のネットワーク装置に信号を送信するようにさらに構成される。
【０２５２】
本発明の本実施形態によれば、第1のネットワーク装置が送信したハンドオーバ指示を受信した後、第1のネットワーク装置とグラントフリー伝送を行う端末装置は、グラントフリー伝送モードでCTU上で第2のネットワーク装置に信号を送信する。このようにして、端末装置は、グラントフリー伝送を行うために、ネットワーク装置から別のネットワーク装置にハンドオーバされる。
【０２５３】
本発明の本実施形態によれば、端末装置は、ハンドオーバ前に第1のCTUリソースを用いてグラントフリー伝送を行い、ハンドオーバ指示メッセージは、第2のネットワーク装置が端末装置に使用を許可する第2のCTUリソースに関する情報を含み、その結果、端末装置は、グラントフリー伝送モードで第2のコンテンション方式送信ユニットCTUリソース上で信号を送信する。
【０２５４】
本発明の本実施形態によれば、第2のネットワーク装置が、端末装置に第1のCTUリソースを使用してグラントフリー伝送を行うことを許可する場合、第2のCTUリソースは、第1のCTUリソースと同じである、または第2のネットワーク装置が、端末装置に第1のCTUリソースを使用してグラントフリー伝送を行うことを許可しない場合、第2のCTUリソースは、第1のCTUリソースと異なる。
【０２５５】
場合により、別の実施形態では、プロセッサ1310は、ハンドオーバ指示メッセージで運ばれる第2のCTUリソースに関する情報に従って、端末装置を第2のネットワーク装置にハンドオーバした後に行われるグラントフリー伝送で使用されるCTUを判定するように構成され、送受信機1320は、グラントフリー伝送モードでCTU上で信号を送信する。
【０２５６】
本発明の本実施形態によれば、第2のCTUリソースはコンテンション方式アクセス領域であり、プロセッサ1310は、ハンドオーバ指示メッセージで運ばれるコンテンション方式アクセス領域に関する情報に従って、コンテンション方式アクセス領域内のCTUの数を判定する。
【０２５７】
プロセッサ1310は、次の式、すなわち、
IndxCTU＝Sigi mod NCTU
に従ってCTUを判定し、ここで、IndxCTUはCTUのインデックス番号であり、modはモジュロ演算を表し、NCTUはコンテンション方式アクセス領域内のCTUの数を表し、Sigiは端末装置のコードリソースのインデックスを表す。
【０２５８】
本発明の本実施形態によれば、CTUリソースに関する情報は、時間−周波数リソース、コードリソース、もしくはパイロットのうちの少なくとも1つに関する情報、CTU情報、またはコンテンション方式アクセス領域に関する情報を含む。
【０２５９】
端末装置1300の動作および機能については、図5の方法を参照されたい。繰り返しを避けるため、ここでは細部を繰り返し説明しない。
【０２６０】
当業者であれば、本明細書で開示した各実施形態において説明した例を参照して、電子的ハードウェアまたはコンピュータソフトウェアと電子的ハードウェアとの組み合わせによって、ユニットおよびアルゴリズムステップを実施してよいことを承知しているはずである。機能をハードウェアで行うかソフトウェアで行うかは、技術的解決策の具体的なアプリケーションと設計制約条件とによって決まる。当業者は、異なる方法を使用して、それぞれの具体的なアプリケーションに対して、説明された機能を実施できるが、こうした実施が、本発明の範囲を超えるものであるとみなすべきではない。
【０２６１】
当業者であれば、説明を簡便にするために、上記のシステム、装置およびユニットの詳細な動作プロセスについては、上記方法実施形態における対応するプロセスを参照できることを明確に理解するはずであり、ここでは細部を繰り返し説明しない。
【０２６２】
本出願において提供されるいくつかの実施形態においては、開示のシステム、装置、および方法を他のやり方で実装することもできることを理解されたい。例えば、説明された装置実施形態は単なる例にすぎない。例えば、ユニットの分割は単なる論理的機能分割にすぎず、実際の実装に際しては他の分割も可能である。例えば、複数のユニットもしくはコンポーネントが組み合わされ、または統合されて別のシステムになる場合もあり、いくつかの特徴が無視されたり行われなかったりする場合もある。加えて、表示された、または論じられた相互結合または直接結合または通信接続を、いくつかのインターフェースを使用して実現することもできる。装置間またはユニット間の間接結合または通信接続は、電気的形態、機械的形態、または他の形態として実現することができる。
【０２６３】
別々の部品として記述されたユニットは物理的に分離している場合もそうでない場合もあり、ユニットとして表示された部品は、物理的ユニットである場合もそうでない場合もあり、一箇所に位置する場合もあり、複数のネットワークユニット上に分散される場合もある。ユニットの一部または全部を、各実施形態の解決策の目的を達成するための実際の必要に従って選択することもできる。
【０２６４】
加えて、本発明の実施形態における機能ユニットが1つの処理ユニットへ統合される場合もあり、ユニットのそれぞれが物理的に独立して存在する場合もあり、または2つ以上のユニットが1つのユニットへ統合される場合もある。
【０２６５】
機能がソフトウェア機能ユニットの形態で実現され、独立した製品として販売される場合、機能は、コンピュータ可読記憶媒体に記憶することができる。そうした理解に基づき、本発明の技術解決策を本質的に、または従来技術に寄与する部分を、または技術的な解決策の一部を、ソフトウェア製品の形態で実現することができる。コンピュータソフトウェア製品は記憶媒体に記憶されており、（パーソナルコンピュータ、サーバ、もしくはネットワーク装置などとすることができる）コンピュータデバイスに、本発明の各実施形態で記述されている方法のステップの全部または一部を行うように命令するためのいくつかの命令を含む。上記記憶媒体は、USBフラッシュドライブ、取り外し可能ハードディスク、読み取り専用メモリ（ROM、Read−Only Memory）、ランダムアクセスメモリ（RAM、Random Access Memory）、磁気ディスク、光ディスクといった、プログラムコードを記憶することができる任意の媒体を含む。
【０２６６】
本出願の簡潔さおよび明瞭さのために、上記の実施形態における技術的特徴および説明は、他の実施形態に適用可能であると理解することができ、例えば、方法実施形態の技術的特徴は、装置実施形態または他の方法実施形態に適用可能であり得、他の実施形態では細部は繰り返さない。
【０２６７】
上記実施形態では、送信モジュール、送信ユニット、送信機は、無線インターフェースを用いて送信を行ってもよいし、無線インターフェースを用いて送信を行わなくてもよいが、他の装置に無線インターフェースを用いて送信させるようにしてもよい。上記実施形態における受信モジュール、受信ユニット、受信機は、無線インターフェースを用いて受信を行ってもよいし、無線インターフェースを用いて受信を行わなくてもよいが、無線インターフェースを用いて受信する他の装置から受信してもよい。
【０２６８】
上記の説明は、単に本発明の具体的な実施にすぎず、本発明の保護範囲を限定することを意図するものではない。本発明において開示された技術的範囲内にあり、当業者によって容易に想到される、あらゆる変形や置き換えは、本発明の保護範囲内に含まれるものとする。従って、本発明の保護範囲は、特許請求の範囲の保護範囲に属する。
【符号の説明】
【０２６９】
100  ネットワーク
102  ネットワーク装置
104  端末装置、UE
106  端末装置、UE
108  端末装置、UE
110  端末装置、UE
112  端末装置、UE
114  端末装置、UE
210  コンテンション方式アクセス領域
800  ネットワーク装置
810  送信モジュール
820  受信モジュール
830  判定モジュール
900  ネットワーク装置
910  受信モジュール
920  判定モジュール
930  送信モジュール
940  検出モジュール
1000  端末装置
1010  受信モジュール
1020  送信モジュール
1030  判定モジュール
1100  ネットワーク装置
1110  プロセッサ
1120  送受信機
1130  メモリ
1140  バス
1200  ネットワーク装置
1210  プロセッサ
1220  送受信機
1230  メモリ
1240  バス
1300  端末装置
1310  プロセッサ
1320  送受信機
1330  メモリ
1340  バス
【図１】
0006522803.tif 000006
【図２】
0006522803.tif 000007
【図３】
0006522803.tif 000008
【図４】
0006522803.tif 000009
【図５】
0006522803.tif 000010
【図６】
0006522803.tif 000011
【図７】
0006522803.tif 000012
【図８】
0006522803.tif 000013
【図９】
0006522803.tif 000014
【図１０】
0006522803.tif 000015
【図１１】
0006522803.tif 000016
【図１２】
0006522803.tif 000017
【図１３】
0006522803.tif 000018